(57)【要約】【課題】ユーザーと当該ユーザーに関する関連情報とを精度よく容易に関連付けること。【解決手段】装着した者の視線方向の画像を撮像する撮像部（カメラ６４）と、時間の経過に伴い発光状態が変化する指標物（ＩＤインジケータ）を前記撮像部が撮像した撮像画像に基づき、各ユーザーに割り当てられた識別情報（ＩＤ情報）を検出する検出部（画像処理部１２３３）と、前記検出部によって検出された前記識別情報に関連付けられた関連情報を受信する受信部（通信インタフェース１５０）と、を備える。【選択図】図６
2013236213.tif 000002
【特許請求の範囲】
【請求項１】
撮像部と、
時間の経過に伴い発光状態が変化する指標物を前記撮像部が撮像した撮像画像に基づき、識別情報を検出する検出部と、
前記検出部によって検出された前記識別情報に関連付けられた関連情報を受信する受信部と、
を備えることを特徴とする電子機器。
【請求項２】
前記検出部は、
前記指標物を撮像した前記撮像画像に基づき、前記指標物を備える外部機器をネットワーク上において識別するためのネットワーク識別情報をさらに検出し、
前記受信部は、
前記ネットワーク識別情報により識別される前記外部機器から前記識別情報に関連付けられた関連情報を受信することを特徴とする請求項１に記載の電子機器。
【請求項３】
前記受信部は、
ネットワークを介して接続されるサーバーから前記識別情報に関連付けられた前記関連情報を受信することを特徴とする請求項１または２に記載の電子機器。
【請求項４】
前記受信部は、
前記指標物を備える外部機器から前記識別情報に関連付けられた前記関連情報を受信することを特徴とする請求項１から３のうちいずれか一項に記載の電子機器。
【請求項５】
前記関連情報は、
当該関連情報の情報量に応じて、ネットワークを介して接続されるサーバー、あるいは、前記電子機器が備える記憶部に保存されることを特徴とする請求項１から４のうちいずれか一項に記載の電子機器。
【請求項６】
前記関連情報を出力する出力部をさらに備えることを特徴とする請求項１から５のうちいずれか一項に記載の電子機器。
【請求項７】
前記出力部は、
前記検出部が検出した前記指標物が発光する発光色あるいは発光パターンを示す情報を出力することを特徴とする請求項６に記載の電子機器
【請求項８】
前記検出部は、
前記撮像画像内の前記指標物あるいは人の顔の位置を検出し、
前記出力部は、
前記撮像画像が撮像した撮像画像を表示し、
前記検出部が検出した前記指標物あるいは人の顔の位置に基づき、前記撮像部が撮像した前記撮像画像内における前記指標物あるいは前記人の顔の周辺に前記関連情報を表示することを特徴とする請求項６または７に記載の電子機器。
【請求項９】
前記出力部は、
前記撮像画像が撮像した撮像画像を表示し、
前記検出部が当該識別情報を検出した前記指標物を示すように前記撮像画像内の前記指標物に関連付けて、前記受信部が受信した前記識別情報に関連付けられた前記関連情報を表示することを特徴とする請求項６から８のうちいずれか一項に記載の電子機器。
【請求項１０】
識別情報に応じて発光する発光部をさらに備えることを特徴とする請求項１から９のうちいずれか一項に記載の電子機器。
【請求項１１】
前記発光部は、
自電子機器をネットワーク上において識別するためのネットワーク識別情報に応じて発光することを特徴とする請求項１０に記載の電子機器。
【請求項１２】
前記発光部は、
波長が可視光領域の光を発光することを特徴とする請求項１０または１１に記載の電子機器。
【請求項１３】
前記発光部は、
前記指標物を備えた外部機器をネットワーク上において識別するためのネットワーク識別情報を前記受信部が受信した場合、前記識別情報に応じた発光を開始することを特徴とする請求項１０から１２のうちいずれか一項に記載の電子機器。
【請求項１４】
前記発光部は、
自電子機器が備える操作部から発光を要求する信号を入力した場合、あるいは周辺の外部機器から発光を要求する信号を前記受信部が受信した場合、または、前記撮像部によって撮像された前記撮像画像から前記指標物の発光点が検出された場合、前記識別情報に応じた発光を開始することを特徴とする請求項１０から１３のうちいずれか一項に記載の電子機器。
【請求項１５】
前記発光部の発光に連動して、予め決められた報知音を出力するスピーカーをさらに備えることを特徴とする請求項１０から１４のうちいずれか一項に記載の電子機器。
【請求項１６】
発光部と、
前記発光部の発光状態を識別情報に応じて時間の経過に伴い変化させることにより、前記発光部の発光状態を撮像した撮像画像に基づき前記識別情報を外部機器に検出させ、検出された前記識別情報に関連付けられた関連情報を前記外部機器に受信させる制御部と
を備えることを特徴とする電子機器。
【請求項１７】
前記制御部は、
自電子機器をネットワーク上において識別するためのネットワーク識別情報に応じて前記発光部の発光状態を変化させることを特徴とする請求項１６に記載の電子機器。
【請求項１８】
発信側電子機器と受信側電子機器とを備える情報通信システムにおいて、
前記発信側電子機器は、
発光部と、
前記発光部の発光状態を識別情報に応じて時間の経過に伴い変化させる制御部とを備え、
前記受信側電子機器は、
撮像部と、
前記撮像部が前記発光部を撮像した撮像画像に基づき前記識別情報を検出する検出部と、
前記検出部によって検出された前記識別情報に関連付けられた関連情報を受信する受信部と、
を備えることを特徴とする情報通信システム。
【請求項１９】
コンピュータを、
時間の経過に伴い発光状態が変化する指標物を撮像した撮像画像に基づき、識別情報を検出する検出手段、
前記検出手段によって検出された前記識別情報に関連付けられた関連情報を受信する受信手段、
として機能させるためのプログラム。
【発明の詳細な説明】
【技術分野】
【０００１】
本発明は、電子機器、情報通信システム、およびプログラムに関する。
【背景技術】
【０００２】
双方向通信技術を用いて、不特定の複数の個人間で互いに個人データを交換することにより、個人データの交換を便利にするものがある。
例えば、カメラによって撮像された画像に基づき、画像内から人の顔を識別して、識別した人に関係する情報を取り出すものがある（例えば、特許文献１参照）。
【先行技術文献】
【特許文献】
【０００３】
【特許文献１】特開第２００２−３２４０７６号公報
【発明の概要】
【発明が解決しようとする課題】
【０００４】
しかしながら、特許文献１に記載したものでは、個人の顔の形は時間とともに変化するものであり、髪型や髭、眼鏡などによって誤認識する可能性がある。従って、顔の認識によって特定の個人の情報を取得しようとしても、正しい情報の取得ができないおそれがあった。
【０００５】
本発明は、上記問題を解決すべくなされたもので、その目的は、情報を配信する対象に関連付けられた関連情報を取得することができる電子機器、情報通信システム、およびプログラムを提供することにある。
【課題を解決するための手段】
【０００６】
［１］上記の課題を解決するため、本発明の一態様である電子機器は、撮像部と、時間の経過に伴い発光状態が変化する指標物を前記撮像部が撮像した撮像画像に基づき、識別情報を検出する検出部と、前記検出部によって検出された前記識別情報に関連付けられた関連情報を受信する受信部と、を備える。
【０００７】
［２］上記の課題を解決するため、本発明の一態様である電子機器は、発光部と、前記発光部の発光状態を識別情報に応じて時間の経過に伴い変化させることにより、前記発光部の発光状態を撮像した撮像画像に基づき前記識別情報を外部機器に検出させ、検出された前記識別情報に関連付けられた関連情報を前記外部機器に受信させる制御部とを備える。
【０００８】
［３］上記の課題を解決するため、本発明の一態様である情報通信システムは、発信側電子機器と受信側電子機器とを備える情報通信システムであって、前記発信側電子機器は、発光部と、前記発光部の発光状態を識別情報に応じて時間の経過に伴い変化させる制御部とを備え、前記受信側電子機器は、撮像部と、前記撮像部が前記発光部を撮像した撮像画像に基づき前記識別情報を検出する検出部と、前記検出部によって検出された前記識別情報に関連付けられた関連情報を受信する受信部と、を備える。
【０００９】
［４］上記の課題を解決するため、本発明の一態様である電子機器は、コンピュータを、時間の経過に伴い発光状態が変化する指標物を撮像した撮像画像に基づき、識別情報を検出する検出手段、前記検出手段によって検出された前記識別情報に関連付けられた関連情報を受信する受信手段、として機能させるためのプログラムである。
【発明の効果】
【００１０】
本発明によれば、ユーザーと当該ユーザーに関する関連情報とを精度よく容易に関連付けることができる。
【図面の簡単な説明】
【００１１】
【図１】本実施形態に係るヘッドマウントディスプレイの斜視図である。
【図２】本実施形態に係るヘッドマウントディスプレイを背面側から見た斜視図である。
【図３】本実施形態に係るヘッドマウントディスプレイの装着形態を示す図である。
【図４】本実施形態に係るディスプレイ本体の水平断面図である。
【図５】本実施形態に係るヘッドマウントディスプレイの機能ブロック図である。
【図６】本実施形態に係るヘッドマウントディスプレイの処理部の機能ブロック図である。
【図７】本実施形態に係るヘッドマウントディスプレイの表示パネル６３の表示例を示す図である。
【図８】本実施形態に係る情報通信システムの機能ブロック図である。
【図９】本実施形態に係る情報処理方法を示すフローチャートである。
【図１０】第２実施形態に係る情報処理方法を示すフローチャートである。
【図１１】第３実施形態に係る情報処理方法を示すフローチャートである。
【図１２】第４実施形態に係る情報処理方法を示すフローチャートである。
【図１３】第５実施形態に係る発信装置８００の機能ブロック図である。
【図１４】第５実施形態に係る発信装置８００をヘッドマウントディスプレイが撮像した画像の表示例を示す図である。
【図１５】上述の実施形態に係る発光パターンの一例について説明する。
【図１６】上述の実施形態に係る発光パターンの他の例について説明する。
【発明を実施するための形態】
【００１２】
以下、情報出力装置をヘッドマウントディスプレイに適用した例について説明するが、本発明はこれに限られない。
【００１３】
以下、本発明の実施形態について図面を参照しながら説明する。
以下の説明においては、必要に応じてＸＹＺ直交座標系を設定し、このＸＹＺ直交座標系を参照しつつ各部の位置関係について説明する。水平面内の所定方向をＸ軸方向、水平面内においてＸ軸方向と直交する方向をＹ軸方向、Ｘ軸方向およびＹ軸方向のそれぞれと直交する方向（すなわち鉛直方向）をＺ軸方向とする。また、Ｘ軸、Ｙ軸、およびＺ軸まわりの回転（傾斜）方向をそれぞれ、θＸ、θＹ、およびθＺ方向とする。
【００１４】
図１は、本実施形態のヘッドマウントディスプレイ１（頭部装着装置１、以下、ＨＭＤ１という）の斜視図である。図２は、本実施形態のＨＭＤ１を背面側から見た斜視図である。図３は、本実施形態のＨＭＤ１の装着形態を示す図である。
【００１５】
ＨＭＤ１は、ディスプレイ本体２０と、ユーザーの頭部に装着されディスプレイ本体２０を支持するヘッドバンド４０と、を備えた単眼式のヘッドマウントディスプレイである。本実施形態のＨＭＤ１は、図３に示すように、両眼どちらでも使用可能である。図３（Ａ）には、ユーザーが右眼（右目）で表示部６０を見ている状態、図３（Ｂ）には左眼（左目）で見ている状態が示されている。また図２に示すように、ディスプレイ本体２０とヘッドバンド４０とは、連結ピン４１を介して着脱可能に構成されている。
なお、図１および図２では、ディスプレイ本体２０の長手方向をＹ軸方向、ヘッドバンド４０がユーザーの頭部を挟持する方向をＸ軸方向としている。
【００１６】
以下、ＨＭＤ１の各部の構成について詳細に説明する。
ディスプレイ本体２０は、主要回路を内蔵するとともに操作部や各種インタフェースを備えた装置本体部２１と、装置本体部２１の先端に連結された表示部６０とを有する。
【００１７】
装置本体部２１は、図４に示す概略板状の筐体２１Ａを有する。本実施形態では、装置本体部２１においてヘッドバンド４０との接続部が設けられている側の端部（＋Ｙ側の端部）を基端部とし、この基端部と反対側の端部（−Ｙ側の端部）を先端部とする。また、装置本体部２１をヘッドバンド４０に装着した状態で、装置本体部２１のヘッドバンド４０側（＋Ｘ側）を内側、ヘッドバンド４０と反対側（−Ｘ側）を外側とする。
【００１８】
装置本体部２１の外面には、図１に示すように、メインスイッチ２８と、タッチスイッチ３４と、集音マイク２４とが、筐体２１Ａの長手方向に沿って配置されている。
メインスイッチ２８はディスプレイ本体２０の電源のオンオフ操作を行うスイッチである。タッチスイッチ３４は、表面に手指等で触れることによりＨＭＤ１の各種操作を行うことができるタッチパネルである。集音マイク２４は、環境音を収集する外部マイクである。
【００１９】
装置本体部２１内面の基端部側に、図２に示すように、耳元スピーカー２３と、オーディオコネクター２６と、連結孔３１を有するヘッドバンドヒンジ３２とが設けられている。装置本体部２１内面の中央部に心拍数センサー１３７が設けられている。装置本体部２１の内側面の先端部には通話マイク３７が設けられている。
【００２０】
耳元スピーカー２３は、ユーザーの耳の近傍に配置される。耳元スピーカー２３からユーザーに音声情報が伝えられる。オーディオコネクター２６は、例えば図６に示すイヤホンが接続される音声入出力端子である。ヘッドバンドヒンジ３２はヘッドバンド４０とのジョイント部である。通話マイク３７にはユーザーの音声が入力される。
【００２１】
心拍数センサー１３７は、ユーザーの顔の表面に接触させることでユーザーの心拍数を測定するセンサーである。心拍数センサー１３７は、発光ダイオード等を備えた発光部と、ユーザーの皮膚内部で反射した光を検知する受光部とを有する。心拍数センサー１３７は、血流の変化による反射光量の変化を検出することで心拍数をカウントする。心拍数センサー１３７はユーザーの目の近くに配置されるが、発光部から赤外域の光を射出させる構成とすればユーザーにまぶしさを感じさせることはない。
【００２２】
装置本体部２１の基端部側の側端面には、ＵＳＢコネクター２５と、操作スイッチ３０と、ビデオコネクター２７とが設けられている。
ＵＳＢコネクター２５はＵＳＢ（Ｕｎｉｖｅｒｓａｌ Ｓｅｒｉａｌ Ｂｕｓ）デバイスの接続端子である。
操作スイッチ３０は、例えばトラックボールやスティックなどのポインティングデバイスである。操作スイッチ３０は表示部６０に表示される画面に正対するように設けられている。これにより、操作スイッチ３０における操作の左右方向と、上記画面の左右方向とが一致するので、ユーザーは画面を見ながら直感的に操作スイッチ３０を操作することが可能である。
ビデオコネクター２７は映像入出力端子である。
【００２３】
図４は、本実施形態のディスプレイ本体２０の水平断面図である。
図４に示すように、装置本体部２１には、筐体２１Ａの長手方向に沿って延びる板状の回路基板２９と、バッテリー３３とが内蔵されている。回路基板２９には、図示略の制御回路、電源回路等が実装されており、図示略の配線を介してディスプレイ本体２０の各部と電気的に接続されている。
【００２４】
装置本体部２１の外面に露出するタッチスイッチ３４の内側には、液晶パネルからなる表示パネル３６と、バックライト３５とが配置されている。本実施形態では、表示パネル３６の表示画像がタッチスイッチ３４を透過して表示される。表示パネル３６およびバックライト３５を、有機ＥＬパネルや電気泳動パネルとしてもよい。
【００２５】
ヘッドバンドヒンジ３２は、筐体２１Ａに設けられた凹曲面状の収容部３２ａと、収容部３２ａに嵌合された球状部３２ｂとからなるボールジョイントである。球状部３２ｂは、球面状の側面部と、この側面部を挟むように互いに平行に形成された２つの平面部を有する。２つの平面部を垂直に貫くように連結孔３１が形成されている。連結孔３１は軸方向視で六角形状に形成されている。連結孔３１にヘッドバンド４０の連結ピン４１が挿入されることによりディスプレイ本体２０とヘッドバンド４０とが連結される。
【００２６】
ヘッドバンドヒンジ３２を備えていることで、ディスプレイ本体２０は、図１に示したＡ方向（ヘッドバンドヒンジ３２を中心とするＸ軸回り）に回動させることができる。本実施形態において、ディスプレイ本体２０の回転可能範囲は２７０°程度とされる。このＸ軸回りの回転動作により、図３（Ａ）に示す右眼で画像を観察する形態と、図３（Ｂ）に示す左眼で画像を観察する形態との切替機能が実現される。
【００２７】
またヘッドバンドヒンジ３２はボールジョイントであるため、ディスプレイ本体２０は図１に示すＢ方向（ヘッドバンドヒンジ３２を中心とするＺ軸回り）に揺動させることもできる。この揺動操作により、ディスプレイ本体２０のユーザーの目や耳に対する位置を調整することができる。
【００２８】
ヘッドバンドヒンジ３２近傍の心拍数センサー１３７は、装置本体部２１の内面から突出するように設けられ、ＨＭＤ１の装着時にユーザーの顔の表面に当接可能とされている。バッテリー３３は一次電池、二次電池のいずれであってもよい。
【００２９】
表示部６０は、図１および図２に示すように、装置本体部２１の先端部に連結されている。本実施形態において、表示部６０のヘッドバンド４０側を内側、ヘッドバンド４０と反対側を外側とする。表示部６０は、上面視（Ｚ軸視）において湾曲した形状を有するアーム部材であり、装置本体部２１との連結部から先端側へ向かうに従って内側へ湾曲する形状を有する。表示部６０の内面に、ファインダー開口部６７が設けられている。表示部６０の外面には、カメラ６４が設けられている。
【００３０】
図４に示すように、表示部６０は、ディスプレイヒンジ６１を介して装置本体部２１と連結されている。ディスプレイヒンジ６１は、表示部６０の筐体６０Ａに形成された凹曲面状の収容部６１ａと、装置本体部２１に形成され収容部６１ａに嵌合された球状部６１ｂとからなるボールジョイントである。
【００３１】
装置本体部２１の球状部６１ｂは、装置本体部２１の外面先端部に形成された筐体２１Ａの長手方向に対して斜めに延びる傾斜面に、この傾斜面の法線方向（図４のＹ’軸方向）に突出するようにして設けられている。
【００３２】
表示部６０は、ディスプレイヒンジ６１の球状部６１ｂに対してＹ’軸回りに自由に回転させることができる。本実施形態では、ディスプレイヒンジ６１が装置本体部２１の上記傾斜面に設けられており、表示部６０が内側に湾曲した形状を有している。
【００３３】
また、ディスプレイヒンジ６１がボールジョイントであることから、表示部６０は、Ｙ’軸回りの回転面に対して直交する方向（概ねＸ’軸に沿う方向）の揺動も可能である。この揺動動作により、ユーザーによるファインダー開口部６７の位置調整が容易になる。表示部６０と装置本体部２１との間隔を大きくすれば、表示部６０の揺動幅を大きくすることができる。
すなわち、本実施形態によれば、保持部であるディスプレイヒンジ６１は、表示部６０を、少なくとも１つ以上の軸周りに揺動が可能である。
【００３４】
ディスプレイヒンジ６１の球状部６１ｂには、球状部６１ｂを高さ方向（Ｙ’軸方向）に貫通する貫通孔６１ｃが形成されている。貫通孔６１ｃを介して、表示部６０の内部と装置本体部２１の内部とが連通されている。貫通孔６１ｃには不図示のケーブルが挿通される。挿通されたケーブルを介して回路基板２９と表示部６０の各部とが電気的に接続される。
【００３５】
表示部６０は、ディスプレイヒンジ６１の球状部６１ｂに対してＹ’軸回りに自由に回転させることができる。これにより、図４に示す視聴可能状態から表示部６０を回転させることで、収容状態（図示せず）に移行することができる。本実施形態では、ディスプレイヒンジ６１が装置本体部２１の上記傾斜面に設けられており、表示部６０が内側に湾曲した形状を有している。これにより、収容状態（図示せず）において、表示部６０は装置本体部２１の外面に沿うように配置される。
【００３６】
表示部６０の内部には、バックライト６２と、表示パネル６３と、カメラ６４と、プリズム６５と、反射ミラー６６と、ＩＤインジケータ６８と、前方スピーカー７０と、結像レンズ７１と、撮像素子７２とが設けられている。
【００３７】
プリズム６５は、上面視（Ｚ軸視）で略三角形状の第１プリズム６５ａと第２プリズム６５ｂとを互いの面で貼り合わせた構成を有する。この貼り合わせ面以外の第１プリズム６５ａの他の二面のうち、一方の面に対向する位置に、液晶パネルからなる表示パネル６３が設けられている。表示パネル６３の背面に表示パネル６３を透過照明するバックライト６２が配置されている。第１プリズム６５ａの他方の面に対向する位置に反射ミラー６６が配置されている。反射ミラー６６は、ファインダー開口部６７のほぼ正面に位置する。
【００３８】
第２プリズム６５ｂの貼り合わせ面以外の他の二面のうち、一方の面はファインダー開口部６７に配置されたファインダー接眼面である。第２プリズム６５ｂの他方の面に対向する位置には結像レンズ７１を介して撮像素子７２が対向配置されている。
【００３９】
表示部６０において、表示パネル６３に表示された画像は、第１プリズム６５ａ、反射ミラー６６、第２プリズム６５ｂを介してファインダー開口部６７から射出され、ユーザーに観察される。また、ファインダー開口部６７を見ているユーザーの目元は、第２プリズム６５ｂおよび結像レンズ７１を介して撮像素子７２上に結像される。撮像素子７２を介して取得された目元の画像は、ユーザーの視線の方向や瞬き、表情の解析に用いられる。バックライト６２は、撮像素子７２による目元を撮像する際の照明装置としても利用される。
【００４０】
カメラ６４は、例えば５００万画素〜１０００万画素の撮像素子を有し、オートフォーカス動作が可能に構成される。
本実施形態の場合、カメラ６４の撮像方向は、ユーザーの視線方向と一致するように設定される。撮像方向と視線方向との調整は、機械的に行ってもよく、画像処理により行ってもよい。例えば、カメラ６４を広角の映像を取得可能に構成し、ユーザーの目元画像から取得した視線方向の情報に基づいて、電気的に捕らえた映像の一部を、視線方向の映像として抜き出して表示パネル６３に表示させる。これにより、カメラ６４に調整機構を設けることなくユーザー正面の映像の撮像、表示が可能となる。
【００４１】
ＩＤインジケータ６８は、例えばＬＥＤである。このＩＤインジケータ６８は、例えば、赤、緑、青の各色の発光素子を有し、任意の色を任意のタイミングで発光させる。また、ＩＤインジケータ６８は、各ユーザーに割り当てられた色の可視光を、各ユーザーに割り当てられた発光パターンで点滅させる。このＩＤインジケータ６８は、発光パターンに従ったタイミングと時間間隔（期間）でＯＮとＯＦＦを繰り返すことにより、割り当てられたＩＤ情報に応じた発光パターンで点滅する。
ここで、実空間においてはＩＤインジケータ６８が指標物であり、カメラ６４によって撮像された撮像画像内においてはＩＤインジケータ６８の発光する光が指標物である。
なお、指標物は、ＩＤインジケータ６８に限られず、以下のようなものであってもよい。例えば、発光し続けている発光部からの光を、発光パターンに応じたタイミングと時間間隔で遮蔽することにより、割り当てられたＩＤ情報に応じた点滅する光を発信するものであってもよい。また、指標物は光に限られず、例えば、予め決められた図形や文字等のターゲット画像を時間の経過に伴い変化させることにより、割り当てられたＩＤ情報に応じた状態変化をするものであってもよい。なお、ＩＤインジケータ６８による発光パターンについては、後に図を参照して、詳細に説明する。
【００４２】
次に、ヘッドバンド４０について、図２を参照しつつ説明する。
ヘッドバンド４０は、図２に示すように、ユーザーの頭部を挟持する一対のヘッドパット（装着部材）４６、４７と、第１ヘッドバンド４３と、第２ヘッドバンド４４と、回動機構５６、５７とを備えている。
【００４３】
第１ヘッドバンド４３は、全体として円弧状を成す弾性部材である。第１ヘッドバンド４３の頂部に、第１ヘッドバンド４３を折り曲げるためのジョイント部４３ａが設けられている。
【００４４】
第２ヘッドバンド４４は、全体として円弧状を成す弾性部材である。第２ヘッドバンド４４の頂部には、第２ヘッドバンド４４を折り曲げるためのジョイント部４４ａが設けられている。第２ヘッドバンド４４の両端には、それぞれ回動機構５６、５７を構成する軸部材４４ｂ、４４ｃが設けられている。
【００４５】
また本実施形態において、第２ヘッドバンド４４は、ステンレス等の金属からなるバネ部材４８の表面を樹脂等の柔軟な材料で被覆した構成を有する。この第２ヘッドバンド４４のバネ部材４８においてユーザーの頭部を挟持するバネ力を発生させる。また第２ヘッドバンド４４は第１ヘッドバンド４３と比較して広い幅に形成されている。ジョイント部４４ａの形成部分は他のバンド部分よりもさらに広く形成された標章表示部４９とされている。標章表示部４９には、シールや印刷により製品タグ等が付される。なお、第２ヘッドバンド４４の全体を金属で形成してもよい。
【００４６】
ヘッドパット４６は、板状の支持板４６ａと、支持板４６ａの一面側に設けられた断面アーチ状の弾性部材４６ｂとを有する。これにより、ヘッドパット４６は連結ピン４１回りに回転可能である。
【００４７】
ヘッドパット４７は、板状の支持板４７ａと、支持板４７ａの一方の面に設けられた断面アーチ状の弾性部材４７ｂとを有する。支持板４７ａの弾性部材４７ｂと反対側の面には、軸部材４７ｃが設けられている。軸部材４７ｃは、第１ヘッドバンド４３の先端に設けられた軸受部４３ｅに軸支されている。これにより、ヘッドパット４７は、軸部材４７ｃ回りに回転可能である。
【００４８】
回動機構５６，５７において、第1ヘッドバンド４３に対して第２ヘッドバンド４４が矢印C方向に回動可能となっている。そして、第２ヘッドバンド４４は、回動機構５６によって第１ヘッドバンド４３から離れる方向に回動付勢される一方、回動機構５７によって第１ヘッドバンド４３に対して所定角度以内の範囲に回動規制される。これにより、第２ヘッドバンド４４は第１ヘッドバンド４３に対して所定の角度となるように保持される。したがって、回動機構５６、５７は、ヘッドバンド４０における角度保持機構として機能する。
【００４９】
図５は、本実施形態のＨＭＤ１の機能ブロック図である。
ＨＭＤ１には、処理部１２３を中心として種々の電気回路が備えられている。処理部１２３は、ＣＰＵ（Ｃｅｎｔｒａｌ Ｐｒｏｃｅｓｓｉｎｇ Ｕｎｉｔ）であり、ＨＭＤ１の各種回路と接続されるとともに、ＨＭＤ１を総合的に制御する。
【００５０】
バッテリー３３は、電力を電源回路１２０に供給する。
電源回路１２０は、バッテリー３３から供給された電力を、処理部１２３の制御によりＨＭＤ１の各部に供給する。
【００５１】
本実施形態の場合、処理部１２３には、エンコーダー１２９およびデコーダー１２１、電源回路１２０、ＢＬドライバ１２６、操作スイッチ３０、フラッシュメモリー１２２、ＢＴ通信回路１３０、ＷｉＦｉ（登録商標、以下省略）通信回路１３１、加速度センサー１３２、地磁気センサー１３３、ＩＤインジケータ６８、３Ｇ／ＬＴＥ通信回路１３８、レーザー発信器７３、角速度センサー１３４、ＧＰＳセンサー１３５、温湿度センサー１３６、心拍数センサー１３７、メモリー１２７、メインスイッチ２８、タッチスイッチ３４が接続されている。
【００５２】
エンコーダー１２９は音声信号および映像信号を所定方式の音声データおよび映像データにエンコード（符号化）する。エンコーダー１２９には、カメラ６４、撮像素子７２、集音マイク２４、通話マイク３７、オーディオコネクター２６、ビデオコネクター２７が接続されている。
【００５３】
エンコーダー１２９には、集音マイク２４および通話マイク３７から入力される音声信号、カメラ６４から入力される映像信号、オーディオコネクター２６から入力される音声信号、ビデオコネクター２７から入力される映像信号、および、ユーザーの目元を撮像する撮像素子７２の映像信号が入力される。エンコーダー１２９に入力された音声信号および映像信号は音声データおよび映像データにエンコードされた後、処理部１２３に入力される。入力された音声データおよび映像データは、処理部１２３による再生動作に用いられたり、フラッシュメモリー１２２に記録される。
【００５４】
デコーダー１２１は、音声データおよび映像データを音声信号および映像信号にデコード（復号化）する。デコーダー１２１には、ＬＣＤドライバ１２５、スピーカーアンプ１６２、オーディオコネクター２６、およびビデオコネクター２７が接続されている。ＬＣＤドライバ１２５は液晶パネル用の駆動制御装置であり、表示パネル３６および表示パネル６３に接続されている。スピーカーアンプ１６２は音声信号を増幅してスピーカーに出力する装置であり、耳元スピーカー２３および前方スピーカー７０に接続されている。
【００５５】
映像データを再生する場合、フラッシュメモリー１２２に記録された映像データ、あるいはエンコーダー１２９から入力される映像データは、処理部１２３を介してデコーダー１２１に入力される。デコーダー１２１に入力された映像データは、映像信号にデコードされた後、ＬＣＤドライバ１２５を介して表示パネル３６、６３に供給される。そして、映像信号が入力された表示パネル３６又は表示パネル６３に映像データに基づく映像が表示される。また、デコーダー１２１からビデオコネクター２７に出力される映像信号は、ビデオコネクター２７を介して外部機器に出力される。
【００５６】
また映像の表示に際して、処理部１２３は、必要に応じて表示パネル３６用のバックライト３５、および表示パネル６３用のバックライト６２を点灯させる。ＢＬドライバ１２６は、バックライト用の駆動制御装置であり、バックライト３５およびバックライト６２に接続されている。処理部１２３は、ＢＬドライバ１２６に駆動信号を送信し、ＢＬドライバ１２６はバックライト３５、６２を個々に点灯させる。
【００５７】
音声データを再生する場合、フラッシュメモリー１２２に記録された音声データ、あるいはエンコーダー１２９から入力される音声データは、処理部１２３を介してデコーダー１２１に入力される。デコーダー１２１に入力された音声データは、音声信号にデコードされた後、スピーカーアンプ１６２を介して耳元スピーカー２３および前方スピーカー７０のいずれか一方、又は両方に出力される。そして、音声信号を入力された耳元スピーカー２３又は前方スピーカー７０から音声が出力される。
【００５８】
本実施形態の場合、耳元スピーカー２３および前方スピーカー７０は、モノラル音声の使用を想定しており、耳元スピーカー２３および前方スピーカー７０からは左右の音声信号が合成された音が発せられる。
【００５９】
メモリー１２７には、処理部１２３によって実行される制御プログラムや登録されたパーソナル情報等が記憶されている。
全体の電源のオンオフを行うメインスイッチ２８や、画面内でのポインティング操作を行うための操作スイッチ３０、あるいはタッチ操作により各種操作を行うタッチスイッチ３４がユーザーに操作されると、これらのスイッチから操作に基づく制御信号が処理部１２３へ出力される。処理部１２３は、制御信号により操作を検出し、上記の制御プログラムに規定された動作を実行する。
【００６０】
ＢＴ通信回路１３０は、他の機器とのＢｌｕｅｔｏｏｔｈ（登録商標、以下省略）通信を行うための通信回路である。ＷｉＦｉ通信回路１３１は、他の機器との無線ＬＡＮ通信（IEEE 802.11）を行うための通信回路である。３Ｇ／ＬＴＥ通信回路１３８は、他の機器との移動通信を行うための通信回路である。
【００６１】
加速度センサー１３２はＨＭＤ１の傾き検出に用いられる。地磁気センサー１３３はＨＭＤ１の方角検出に用いられる。角速度センサー（ジャイロセンサー）１３４はＨＭＤ１の回転検出に用いられる。ＧＰＳセンサー１３５はＧＰＳ（Ｇｌｏｂａｌ Ｐｏｓｉｔｉｏｎｉｎｇ Ｓｙｓｔｅｍ）を利用した測位検出に用いられる。温湿度センサー１３６は環境の温度、湿度の検出に用いられる。心拍数センサー１３７はユーザーの頬に接触し、ユーザーの心拍数を検出する。
【００６２】
次に、図６を参照して、ＨＭＤ１の処理部１２３の構成について詳細に説明する。図６は、本実施形態に係るＨＭＤ１の処理部１２３の構成の一例を示す機能ブロック図である。
図６に示す通り、ＨＭＤ１の処理部１２３は、登録部１２３１と、発信制御部１２３２と、画像処理部１２３３と、情報制御部１２３４と、表示制御部１２３５とを含む。
【００６３】
登録部１２３１は、メモリー１２７にパーソナル情報や発光パターン情報を登録する。パーソナル情報とは、ユーザーの氏名、職業、趣味、およびメールアドレス等を含む個人特有の情報である。発光パターン情報とは、発光パターンを示す情報である。この発光パターンとは、各ユーザーを識別するための識別情報（以下、ＩＤ情報という）を示すＩＤインジケータ６８の発光パターンである。ＩＤインジケータ６８の点滅間隔や点滅タイミングに応じた発光パターンは、ＩＤ情報ごとに決められる。
【００６４】
発信制御部１２３２は、メモリー１２７を参照して、登録されている発光パターンに従って、ＩＤインジケータ６８を発光させる。この発光パターンは、例えば、ＩＤ情報を含む情報である。また、発光パターンは、肉眼で観察しても容易に他の発光パターンと識別がつくように、１〜２Ｈｚでの比較的低周波数での点滅であって、その周波数の中での点灯時には、例えば２０Ｈｚ程度の比較的早めの周波数での点滅によってＩＤ信号を発信するようになっている。さらに肉眼での識別を助けるために、ＩＤ情報毎に決められた赤、青、緑といった発光色で点滅する。なお、発光パターンの詳細については、後に図面を参照して具体的に説明する。
【００６５】
画像処理部１２３３は、例えば図７に示すところの他のＨＭＤ７００を撮像した際の画像データに基づき、ＨＭＤ７００に搭載されるＩＤインジケータ７６８の発光点を示す画素として、予め決められた輝度あるいは明度以上の画素が撮像画像内に含まれているか否かを判定する。画像処理部１２３３は、予め決められた輝度あるいは明度以上の画素を検出した場合、時間の経過に伴い複数撮像される撮像画像に基づき、このＩＤインジケータ７６８の発光点の発光状態の変化を検出する。この画像処理部１２３３は、例えば、この検出された発光点の点滅状況から発光パターンを検出し、この発光パターンが示すＩＤ情報（あるいはＩＰアドレス情報を含むものであってもよい。）を検出する。発光パターンが示すＩＤ情報（およびＩＰアドレス情報）を取得した場合、画像処理部１２３３は、このＩＤ情報（およびＩＰアドレス情報）が有効な情報であるか否かを判定する。有効な情報であると判定した場合、画像処理部１２３３は、取得したＩＤ情報（およびＩＰアドレス情報）を情報制御部１２３４に出力する。
また、画像処理部１２３３は、カメラ６４が撮像した撮像画像の画像データに基づき、ＩＤインジケータ７６８による発光点の撮像画像内の位置を検出する。
さらに、画像処理部１２３３は、カメラ６４が撮像した撮像画像の画像データに基づき、例えば、パターン認識の技術を利用して、撮像画像内に含まれる人の顔を検出し、撮像画像内における顔の位置を検出する。
【００６６】
情報制御部１２３４は、画像処理部１２３３からＩＤ情報を入力した場合、このＩＤ情報に関連付けられたパーソナル情報を要求するリクエスト信号を作成し、サーバー２００（図８参照）あるいは他のＨＭＤ５００、６００、７００（図８参照）に送信する。
この情報制御部１２３４は、リクエスト信号により取得したパーソナル情報とＩＤ情報、および、画像処理部１２３３によって検出された撮像画像内におけるユーザーの顔の位置を示す情報を、それぞれ対応づけて表示制御部１２３５に出力する。
【００６７】
表示制御部１２３５は、表示パネル６３が表示する表示内容を制御する。この表示制御部１２３５は、カメラ６４によって撮像された撮像画像を表示パネル６３に表示させる。
また、表示制御部１２３５は、情報制御部１２３４から入力する情報に基づき、表示パネル６３に表示されている撮像画像内におけるユーザーの顔の近傍（周辺）に、パーソナル情報を表示する吹き出しがユーザーの顔と重複しないように、パーソナル情報を表示する吹き出しを撮像画像に重畳させて表示させる。
また、表示制御部１２３５は、ＩＤ情報に関連付けられた動画データがあることを示す情報がパーソナル情報に含まれている場合、パーソナル情報を表示する吹き出しの中に、動作データの取得を要求する操作を受け付ける操作アイコンである動画表示ボタン４０３を表示させる。
さらに、表示制御部１２３５は、使用者にパーソナル情報の交換意思があることを示す情報がパーソナル情報に含まれている場合、パーソナル情報を表示する吹き出しの中に、パーソナル情報の交換を要求する操作を受け付ける操作アイコンである情報交換ボタン４０５を表示させる。
【００６８】
次に、図７を参照して、本実施形態に係る情報通信方法により、ＨＭＤ１の表示パネル６３に表示される表示画面の一例について説明する。図７は、本実施形態においてＨＭＤ１の表示パネル６３に表示される表示画面の一例を示す図である。
図７に示す通り、表示パネル６３には、カメラ６４が撮像した撮像画像上に、パーソナル情報等を含む吹き出しが表示されている。
ここでは、画面内に、第２ユーザーＢと、第３ユーザーＣと、第４ユーザーＤとが表示されている。ここで、ＨＭＤ１のユーザーであり表示パネル６３を観察している第１ユーザーＡ、ＨＭＤ５００のユーザーであり表示パネル５６３を観察している第２ユーザーＢ、ＨＭＤ６００のユーザーであり表示パネル６６３を観察している第３ユーザーＣ、およびＨＭＤ７００のユーザーであり表示パネル７６３を観察している第４ユーザーＤは、互いに面識がない状況で、特定のイベントに参加しているものとする。また、第２ユーザーＢはＨＭＤ５００を、第３ユーザーＣはＨＭＤ６００を、第４ユーザーＤはＨＭＤ７００を、それぞれ装着している。
本実施形態において、第２ユーザーＢのＨＭＤ５００のＩＤインジケータ５６８と、第４ユーザーＤのＩＤインジケータ７６８とが点滅している。一方、第３ユーザーＣのＨＭＤ６００のＩＤインジケータ６６８は消灯している。
また、ＨＭＤ１のカメラ６４が撮像した撮像画像内において、第２ユーザーＢの顔の近傍（周辺）には、第２ユーザーＢを指し示すように、吹き出し４００が表示される。この吹き出し４００の中には、第２ユーザーＢのパーソナル情報（氏名：山田太郎  職業：イラストレータ  趣味：釣り）が表示されている。また、この吹き出し４００には、ＨＭＤ５００のＩＤインジケータ５６８（図８参照）が発光する発光色と発光パターンを示す発光状態情報（発光：赤  早い点滅）が表示されている。
【００６９】
一方、ＨＭＤ１のカメラ６４が撮像した撮像画像内において、第４ユーザーＤの顔の近傍（周辺）には、第４ユーザーＤを指し示すように、吹き出し４０１が表示される。この吹き出し４０１の中には、第４ユーザーＤのパーソナル情報（氏名：中村次郎  職業：アナウンサー  趣味：スノーボード）が表示されている。また、この吹き出し４０１には、ＨＭＤ７００のＩＤインジケータ７６８の発光状態情報（発光：青緑  遅い点滅）が表示されている。
さらに、この吹き出し４０１には、ＩＤ情報に関連付けられた動画データの取得を要求する操作を受け付ける操作アイコンである動画表示ボタン４０３や、パーソナル情報の交換を要求する操作を受け付ける操作アイコンである情報交換ボタン４０５が表示されている。この動画表示ボタン４０３および情報交換ボタン４０５は、表示パネル６３に表示される撮像画像上に重畳して表示され、タッチスイッチ３４上を動くユーザーの指の位置変化に連動して移動するカーソル４０４がこの情報交換ボタン４０５上に移動し、さらにタッチスイッチ３４がユーザーの指によってクリックされることにより、それぞれの操作を受け付ける操作ボタンである。
【００７０】
次に、図８を参照して、本実施形態に係るＨＭＤ１を含む情報通信システムの一例について説明する。図８は、本実施形態に係るＨＭＤ１を含む情報通信システムのシステム構成図である。
【００７１】
図８に示すように、本実施形態に係る情報通信システムは、ＨＭＤ１、ＨＭＤ５００、ＨＭＤ６００、ＨＭＤ７００およびサーバー２００を含む。ＨＭＤ１、ＨＭＤ５００、ＨＭＤ６００、ＨＭＤ７００およびサーバー２００は、ネットワーク２３０に接続されている。ネットワーク２３０は、無線ＬＡＮ（Ｌｏｃａｌ  Ａｒｅａ  Ｎｅｔｗｏｒｋ）、３Ｇ回線、ＬＴＥ回線等を介して接続されているインターネットなどのネットワークである。
【００７２】
図８において、ＨＭＤ１は、図５で説明した構成を備えるが、処理手順を説明する上で必要な機能部のみを示している。なお、ＨＭＤ１の表示パネル６３を、以後、ＬＣＤ６３という。また、ＢＴ通信回路１３０、ＷｉＦｉ通信回路１３１、３Ｇ／ＬＴＥ通信回路１３８を含めた構成を、以後、通信インタフェース１５０という。
ＨＭＤ５００は、図８に示すように、主にフラッシュメモリー５２２、処理部５２３、通信インタフェース５５０、メモリー５２７、タッチスイッチ５３４、ＨＭＤ１の表示部６０に相当する表示部の内部に設けられる表示パネル（表示部）５６３（以後、ＬＣＤ５６３という）、カメラ５６４、およびＩＤインジケータ５６８を備えている。ＨＭＤ５００の各機能部は、ＨＭＤ１の各機能部と同等の機能を備える構成であるため、同一の名称を付して詳細な説明は省略する。
ＨＭＤ６００、ＨＭＤ７００の各機能部も、ＨＭＤ５００と同様に、ＨＭＤ１の各機能部と同等の機能を備える構成であるため、同一の名称を付して詳細な説明は省略する。
【００７３】
次に、サーバー２００の構成について説明する。
図８に示すように、サーバー２００は、処理部２０１、記憶部２０２、および通信インタフェース２０３を備えている。
サーバー２００の処理部２０１は、各端末（ＨＭＤ１、ＨＭＤ５００、ＨＭＤ６００、ＨＭＤ７００）から通信インタフェース２０３を介して受信した画像データ（動画、静止画、線画等）、音声データ、各端末の環境情報、および各端末からの要求（リクエスト信号）等の通信記録を、記憶部２０２に記録する。処理部２０１は、各端末の要求に応じて、記憶部２０２に記録してある画像データを読み出し、読み出した画像データを、各端末に送信する。
記憶部２０２には、各端末から受信した画像データ（動画、静止画）、音声データ、各端末の環境情報、および各端末からの要求等の通信記録が記録されている。
通信インタフェース２０３は、例えば、ＷｉＦｉ通信回路、３Ｇ通信回路、ＬＴＥ通信回路、有線ＬＡＮ回路等を備えている。
【００７４】
次に、図９を参照して、本実施形態に係る情報通信方法の一例について説明する。図９は、本実施形態に係る情報通信方法の一例について説明するためのフローチャートである。ここでは、第１ユーザーＡの所持するＨＭＤ１における処理フローの一例について、以下説明する。他のＨＭＤ５００、６００、７００も同様の処理フローを実行可能であるが、詳細な説明は省略する。
（ステップＳＴ１０１）
イベント開催前に、ＨＭＤ１の第１ユーザーＡによって、自己のパーソナル情報をサーバー２００に登録するか否かの判断がなされる。この登録有無の判断は、ユーザー個人によってなされる。
例えば、タッチスイッチ３４を介して、第１ユーザーＡからパーソナル情報の登録処理を要求する操作が入力されると、処理部１２３は、タッチスイッチ３４を介して入力されるパーソナル情報をサーバー２００に送信する。サーバー２００は、受信したパーソナル情報を記憶部２０２に登録する。また、処理部１２３は、入力されたパーソナル情報をメモリー１２７に書き込む。なお、本発明はこれに限られず、第１ユーザーＡが所定のパーソナルコンピュータやスマートフォンあるいはその他の情報処理装置を介してパーソナル情報を入力し、これら情報処理装置がサーバー２００にパーソナル情報を登録させるものであってもよい。
なお、パーソナル情報の登録処理を要求する操作が入力されない場合には、処理部１２３は、ステップＳＴ１０６へ移行する。
（ステップＳＴ１０２）
パーソナル情報の登録処理を要求する操作が入力された場合、ＨＭＤ１は、第１ユーザーＡのパーソナル情報をサーバー２００に登録させる。パーソナル情報とは、ユーザーの氏名、職業、趣味、およびメールアドレス等を含む個人特有の情報である。また、サーバー２００への登録は、例えば、ＨＭＤ１の処理部１２３の登録部１２３１が、実行する。登録部１２３１は、メモリー１２７に登録されているパーソナル情報や、タッチスイッチ３４を介して入力されるパーソナル情報を、通信インタフェース１５０を介してサーバー２００に送信する。
なお、ここでは、第２ユーザーＢと第４ユーザーＤが、各々のパーソナル情報の登録を既に行っており、第３ユーザーＣはパーソナル情報の登録を行っていないとする。
【００７５】
（ステップＳＴ１０３）
パーソナル情報の登録が完了すると、サーバー２００の処理部２０１は、例えば、登録を行った順に従って、第１ユーザーＡを他のユーザーと識別するためのＩＤ情報を発行し、このＩＤ情報を示す発光パターン情報を、ＨＭＤ１に送信する。なお、この発光パターン情報は、記憶部２０２に事前に記憶されているものであってもよく、その都度、ＩＤ情報が発行されるものであってもよい。
そして、ＨＭＤ１の通信インタフェース１５０は、発光パターン情報をサーバー２００から受信する。ＨＭＤ１の処理部１２３の登録部１２３１は、受信した発光パターン情報をメモリー１２７に登録する。
【００７６】
（ステップＳＴ１０４）
そして、ＨＭＤ１の処理部１２３は、イベントの開催時間になるまで、次のステップは移行せず、ここで待機状態となる。
（ステップＳＴ１０５）
イベントが開催された場合、発信制御部１２３２は、メモリー１２７を参照して、登録されている発光パターンに従って、ＩＤインジケータ６８を発光させる。イベントが開催された場合とは、例えば、ＨＭＤ１が備えるタイマー（図示せず）によって計時された日時がイベントの開催日時に到達した場合、もしくは、通信インタフェース１５０がサーバー２００からイベントの開始を通知する信号を受信した場合、あるいはメインスイッチ２８及びタッチスイッチ３４を介して第１ユーザーＡから手動で電源操作ならびにメニュー操作を受けた場合等である。
【００７７】
また、ステップＳＴ１０１〜１０５と同様の処理を、ＨＭＤ５００、７００が実行することにより、図７に示した通り、第２ユーザーＢや第４ユーザーＤの頭部に装着したＨＭＤ５００のＩＤインジケータ５６８やＨＭＤ７００のＩＤインジケータ７６８が、それぞれＩＤ情報に応じた発光パターンで点滅するようになる。ここで、ＩＤインジケータ５６８は、第２ユーザーＢに割り当てられたＩＤ情報を含む発光パターンで点滅している。また、ＩＤインジケータ７６８は、第４ユーザーＤに割り当てられたＩＤ情報を含む発光パターンで点滅している。
なお、パーソナル情報の登録を行っていない第３ユーザーＣのＨＭＤ６００は、発光パターン情報を保持していないため、ＩＤインジケータ６６８が点滅しない。
【００７８】
（ステップＳＴ１０６）
次いで、画像処理部１２３３は、カメラ６４によって撮像された撮像画像の画像データに基づき、他のユーザーが装着するＨＭＤのＩＤインジケータの発光をＨＭＤ１のカメラ６４が捕らえられたかを判断する。具体的に説明すると、画像処理部１２３３は、撮像された画像データに基づき、ＨＭＤに搭載されるＩＤインジケータの発光点を示す画素として、予め決められた輝度あるいは明度以上の画素が撮像画像内に含まれているか否かを判定する。画像処理部１２３３は、予め決められた輝度あるいは明度以上の画素を検出した場合、時間の経過に伴い複数撮像される撮像画像に基づき、このＩＤインジケータの発光点の発光状態の変化を検出する。この画像処理部１２３３は、例えば、この発光点の点滅状況から発光パターンを検出し、この発光パターンが示すＩＤ情報を検出する。そして、発光パターンが示すＩＤ情報を取得した場合、画像処理部１２３３は、このＩＤ情報が有効な情報であるか否かを判定する。有効な情報であると判定した場合、画像処理部１２３３は、取得したＩＤ情報を情報制御部１２３４に出力する。
このようにして、画像処理部１２３３がカメラ６４の撮像画像に基づき、他のＨＭＤのＩＤインジケータの発光パターンから有効なＩＤ情報を取得した場合、処理部１２３は、ステップＳＴ１０７へ移行する。また、ＩＤ情報を取得できない場合、あるいは、取得したＩＤ情報が有効な情報でない場合、処理部１２３は、有効なＩＤ情報が取得できるまでステップＳＴ１０６の処理を繰り返す。
【００７９】
また、第２ユーザーＢのＨＭＤ５００のＩＤインジケータ５６８は、第２ユーザーＢのＩＤ情報に応じた発光パターンで点滅している。さらに、第４ユーザーＤのＨＭＤ７００のＩＤインジケータ７６８も同様に、第４ユーザーＤのＩＤ情報に応じた発光パターンで点滅している。このため、ＨＭＤ１の画像処理部１２３３は、これらのＩＤインジケータ５６８および７６８の発光パターンから各ユーザーのＩＤ情報を取得することができる。
一方、パーソナル情報を登録しなかった第３ユーザーＣのＨＭＤ６００のＩＤインジケータ６６８は発光していない。このため、ＨＭＤ１の画像処理部１２３３は、このＩＤインジケータ６６８からは、ＩＤ情報を取得することができない。
【００８０】
（ステップＳＴ１０７）
そして、情報制御部１２３４は、ＩＤ情報を入力すると、入力したＩＤ情報が、新規のＩＤ情報か否かを判断し、新規の場合にはステップＳＴ１０８へ移行する。具体的に説明すると、情報制御部１２３４は、フラッシュメモリー１２２を参照して、画像処理部１２３３によって既に取得されているＩＤ情報と、ステップＳＴ１０６で取得したＩＤ情報とが一致するか否かを判定する。
画像処理部１２３３によって既に取得されているＩＤ情報と一致しない場合、情報制御部１２３４は、新規なＩＤ情報であると判定する。
一方、既に画像処理部１２３３によって既に取得されているＩＤ情報と一致する場合、情報制御部１２３４は、新規なＩＤ情報でないと判定し、ステップＳＴ１０９に移行する。
【００８１】
（ステップＳＴ１０８）
そして、新規のＩＤ情報であると判定した場合、情報制御部１２３４は、フラッシュメモリー１２２に新規なＩＤ情報を書き込むとともに、ＩＤ情報に関連付けられたパーソナル情報を要求するリクエスト信号をサーバー２００に送信する。
サーバー２００の処理部２０１は、受信したリクエスト信号に基づき、受信したＩＤ情報に関連付けて記憶部２０２に登録されているパーソナル情報を読み出し、リクエスト信号の送信元であるＨＭＤ１にパーソナル情報を送信する。そして、ＨＭＤ１は、サーバー２００からパーソナル情報を受信する。
ここでは、情報制御部１２３４が、第２ユーザーＢを識別するＩＤ情報、あるいは、第４ユーザーＤを識別するＩＤ情報を取得する。よって、ＨＭＤ１は、第２ユーザーＢを識別するＩＤ情報に関連付けられたパーソナル情報、あるいは、第４ユーザーＤを識別するＩＤ情報に関連付けられたパーソナル情報を受信する。
情報制御部１２３４は、受信したパーソナル情報をフラッシュメモリー１２２に一時的に保存する。
【００８２】
（ステップＳＴ１０９）
また、画像処理部１２３３は、カメラ６４が撮像した撮像画像の画像データに基づき、パーソナル情報を取得したＩＤ情報に応じた発光パターンで発光する発光点を検出し、この発光点の撮像画像内における位置を検出する。ここで、カメラ６４が撮像した撮像画像には、ＩＤインジケータ５６８の発光点とＩＤインジケータ７６８の発光点とが含まれている。よって、画像処理部１２３３は、撮像画像に基づき、撮像画像内におけるＩＤインジケータ５６８の発光点の位置、あるいは、撮像画像内におけるＩＤインジケータ７６８の発光点の位置を検出する。
【００８３】
（ステップＳＴ１１０）
次いで、画像処理部１２３３は、カメラ６４が撮像した撮像画像の画像データに基づき、例えば、パターン認識の技術を利用して、撮像画像内に含まれる人の顔を検出する。人の顔が検出された場合、画像処理部１２３３は、検出された撮像画像内における顔の位置を示すユーザー位置情報を情報制御部１２３４に出力する。なお、複数の人の顔が検出された場合、画像処理部１２３３は、ステップＳＴ１０９によって検出されたＩＤインジケータ５６８の発光点の位置、あるいは、ＩＤインジケータ７６８の発光点の位置と撮像画像内において最も近い人の顔の位置を示す情報を、ユーザー位置情報として情報制御部１２３４に出力する。
この処理は、ステップＳＴ１０９において得られた撮像画像内においてＩＤインジケータの発光点の近傍にある顔の位置を把握するために、カメラ６４で撮像された撮像画像に基づき、相手のユーザーの顔を認識するための処理である。図７に示すとおり、撮像画像上に表示される各パーソナル情報の吹き出し４００、４０１が、撮像画像内のＨＭＤ５００の第２ユーザーＢやＨＭＤ７００の第４ユーザーＤの顔を覆うことがないように、表示制御部１２３５が、吹き出しの表示位置を調整するためである。
【００８４】
（ステップＳＴ１１１）
そして、情報制御部１２３４は、ステップＳＴ１０６において検出されたＩＤ情報と、ステップＳＴ１０８において受信したパーソナル情報と、ステップＳＴ１１０において検出されたユーザー位置情報とを、それぞれ対応付けて表示制御部１２３５に出力する。この表示制御部１２３５は、情報制御部１２３４から入力する情報に基づき、撮像画像内においてユーザー位置情報が示す撮像画像内のユーザーの顔の近傍（周辺）に、撮像画像内においてユーザーの顔と吹き出しが重複しないように、パーソナル情報の吹き出しを撮像画像に重畳させて表示する。言い換えると、表示制御部１２３５は、ＩＤインジケータの発光パターンが示すＩＤ情報と同一のＩＤ情報が関連付けられた関連情報を、当該ＩＤ情報を検出したＩＤインジケータの発光点に関連付けてＬＣＤ６３に表示させる。
【００８５】
表示制御部１２３５は、例えば、図７に示すように吹き出しの形の表示態様でパーソナル情報を表示する。ステップＳＴ１０６において検出されたＩＤ情報が第２ユーザーＢを示すものである場合、画像処理部１２３３は、ステップＳＴ１０８において受信した第２ユーザーＢのパーソナル情報と、ステップＳＴ１１０において検出された第２ユーザーＢのユーザー位置情報とに基づき、撮像画像内の第２ユーザーＢの顔の近傍（周辺）に、この顔と吹き出しが重複しないように、第２ユーザーＢのパーソナル情報の吹き出し４００を撮像画像上に重畳させて表示する。一方、ステップＳＴ１０６において検出されたＩＤ情報が第４ユーザーＤを示すものである場合、画像処理部１２３３は、ステップＳＴ１０８において受信した第４ユーザーＤのパーソナル情報と、ステップＳＴ１１０において検出された第４ユーザーＤのユーザー位置情報とに基づき、撮像画像内の第４ユーザーＤの顔の近傍（周辺）に、この顔と吹き出しが重複しないように、第４ユーザーＤのパーソナル情報の吹き出し４０１を撮像画像上に重畳させて表示する。
なお、ステップＳＴ１０６〜１１７の処理を繰り返し実行することにより、複数の新規のＩＤ情報が取得される。ここで、サーバー２００にパーソナル情報が登録されているＩＤ情報が検出された場合、図７に示した通り、パーソナル情報が登録されているＩＤ情報が割り当てられたＨＭＤ５００の第２ユーザーＢとＨＭＤ７００の第４ユーザーＤの撮像画像内の顔の近傍（周辺）に、それぞれのパーソナル情報が表示される。
【００８６】
また、表示制御部１２３５は、ＩＤインジケータ５６８や７６８が発光する発光色や発光パターンを示す情報を各吹き出しの中に表示するものであってもよい。例えば、表示制御部１２３５は、撮像画像内の第２ユーザーＢの顔の近傍（周辺）に表示される吹き出し４００の中に、ＩＤインジケータ５６８の発光色が赤色で発光パターンが早い点滅であることを表示する。また、表示制御部１２３５は、撮像画像内の第４ユーザーＤの顔の近傍（周辺）に表示される吹き出し４０１の中に、ＩＤインジケータ７６８の発光色は青と緑で発光パターンが遅い点滅であることを表示する。なお、このＩＤインジケータの発光色や発光パターンを示す情報は、処理部１２３によって、例えば耳元スピーカー２３から音として出力されるものであってもよい。
【００８７】
ここで、第１ユーザーＡが、肉眼で第２ユーザーＢを見たときに、第１ユーザーＡには第２ユーザーＢのＩＤインジケータ５６８が赤の早い点滅で発光し、第４ユーザーのＩＤインジケータ７６８が青と緑の遅い点滅で発光しているように見える。よって、ＬＣＤ６３に表示されている吹き出し４００に記載されているＩＤインジケータ５６８が赤の早い点滅で発光することを示す情報を参考にすれば、第１ユーザーＡは、吹き出し４００に表示されている第２ユーザーＢに関するパーソナル情報を認識できる。また、ＬＣＤ６３に表示されている吹き出し４０１に記載されているＩＤインジケータ７６８が青と緑の遅い点滅で発光することを示す情報を参考すれば、第１ユーザーＡは、吹き出し４０１に表示されている第４ユーザーＤに関するパーソナル情報を認識できる。このことで、ＬＣＤ６３における第２ユーザーＢと第４ユーザーＤの顔などの画像が多少不鮮明であっても、第１ユーザーＡは、第２ユーザーＢと第４ユーザーＤの顔を肉眼で直接確認するとともに、表示パネル（ＬＣＤ）６３に表示されている第２ユーザーＢに関するパーソナル情報と第４ユーザーＤに関するパーソナル情報とを、それぞれ区別して識別することができるので、表示パネル（ＬＣＤ）６３に表示されている情報を、明確に識別して容易に取得することが可能となっている。
【００８８】
また、第１ユーザーＡは、ＬＣＤ６３に表示されている第２ユーザーＢと吹き出し４００の位置関係や、第４ユーザーＤと吹き出し４０１の位置関係とを詳細に確認できない場合であっても、肉眼で見えるＩＤインジケータ５６８、７６８の発光状態を確認し、ＬＣＤ６３に表示されている発光色や発光パターンを示す情報を確認することで、この発光色や発光パターンで発光するＩＤインジケータを備えたユーザーに関するパーソナル情報であると認識することができる。従って、ＨＭＤ１を介してユーザーと吹き出しの位置関係を確認しなくても、容易にＩＤインジケータ５６８、７６８の両者を識別することができる。
さらに、関連情報として動画データを表示する際に、撮像画像内のユーザーの近傍（周辺）に動画データを表示するスペースがない場合や、表示領域が予め決められている場合であっても、ＩＤインジケータの発光色や発光パターンを示す情報と動画データとを関連付けて表示制御部１２３５がＬＣＤ６３に表示することにより、第１ユーザーＡは、どのユーザーについての動画データであるかを容易に認識するが可能となる。
なお、表示制御部１２３５は、各ＩＤインジケータの発光色に応じた色で吹き出しを表示するものであってもよい。
【００８９】
一方、パーソナル情報の登録を行わなかった第３ユーザーＣのＨＭＤ６００は、一般的なＨＭＤとしての動作はしているものの、そのＩＤインジケータ６６８は発光していない。このため、ＨＭＤ１のＬＣＤ６３には、第３ユーザーＣのパーソナル情報は表示されない。
このことは、ＩＤインジケータ６６８が消灯していることから第１ユーザーＡは肉眼でも認識可能であり、他の人から見て、例えばイベントのスタッフのようにパーソナル情報を公開していない人との認識を持つことが可能となっている。ここで、ＨＭＤ６００は、ＩＤインジケータ６６８が発光していないことから、ＩＤ情報を発信する情報発信器としてではなく、ＩＤ情報に関連付けられた関連情報を受信する情報受信機としてのみ機能している。
【００９０】
（ステップＳＴ１１２）
次いで、表示制御部１２３５は、各パーソナル情報を参照して、ＩＤ情報に関連付けられた動画データがあることを示す情報が含まれているか否かを判定する。ＩＤ情報に関連付けられた動画データがあることを示す情報が含まれている場合、表示制御部１２３５は、撮像画像内におけるパーソナル情報を表示する吹き出しの中に、動画表示ボタン４０３を表示させる。そして、ステップＳＴ１１３に移行する。
一方、パーソナル情報に動画データが含まれていない場合、処理部１２３は、ステップＳＴ１１５へ移行する。
【００９１】
（ステップＳＴ１１３）
そして、情報制御部１２３４は、タッチスイッチ３４の検出結果に基づき、第１ユーザーＡによる動画再生操作の入力の有無を確認する。第１ユーザーＡによるタッチスイッチ３４の操作として、カーソル４０４が動画表示ボタン４０３上に移動されクリックする操作が入力された場合、情報制御部１２３４は、動画再生操作が入力されたことを判定し、ステップＳＴ１１４へ移行する。一方、まだ第１ユーザーＡに動画再生の意思の無い場合、動画表示ボタン４０３をクリックする操作が入力されないため、処理部１２３は、ステップＳＴ１１５へ移行する。
この動画データは、テキスト情報だけでは表しきれないユーザーに関するより詳細な情報や、演芸などのパフォーマンスが収められている。なお、ここでは関連情報に動画データが含まれる一例を説明したが、これに限らず、静止画やＰＤＦファイルなどでも良い。
このように、ＩＤインジケータの発光パターンだけでは送受信が難しい膨大な情報は、ＷｉＦｉによる電波を介して発信し、サーバー２００から受信することが可能となっている。
【００９２】
（ステップＳＴ１１４）
動画表示ボタン４０３をクリックする操作が入力された場合、情報制御部１２３４は、動画表示ボタン４０３に対応するＩＤ情報に関連付けられた動画データの送信を要求するリクエスト信号を、通信インタフェース１５０を介してサーバー２００に送信する。
これにより、サーバー２００の処理部２０１は、リクエスト信号に基づき、受信したＩＤ情報に関連付けて記憶部２０２に登録されている動画データを読み出し、リクエスト信号の送信元であるＨＭＤ１に送信する。そして、ＨＭＤ１は、サーバー２００から動画データを受信する。
ＨＭＤ１の表示制御部１２３５は、受信した動画データをＬＣＤ６３に表示させる。
なお、情報制御部１２３４は、リクエスト信号を、他のＨＭＤ７００に送信して、他のＨＭＤ７００から動画データを受信してもよい。
【００９３】
（ステップＳＴ１１５）
次いで、情報制御部１２３４は、タッチスイッチ３４を介して、パーソナル情報の交換を要求する第１ユーザーＡから操作を受け付けたか否か判定する。
図７に示す通り、第４ユーザーＤのパーソナル情報に情報交換ボタン４０５が表示されている場合、第４ユーザーＤはパーソナル情報の交換意思があることを表している。なお、このパーソナル情報の交換意思があるか否かを示す情報は、パーソナル情報に含まれており、事前の登録時に第４ユーザーＤによって登録されている情報である。表示制御部１２３５は、パーソナル情報の交換意思があることを示す情報がパーソナル情報に含まれている場合、ＬＣＤ６３に表示されている吹き出し４０１の中に、情報交換ボタン４０５を表示させる。第１ユーザーＡにパーソナル情報の交換意思があり、タッチスイッチ３４を介してカーソル４０４が操作され、情報交換ボタン４０５をクリックする操作が入力されると、情報制御部１２３４は、第４ユーザーＤとのパーソナル情報の交換を要求する操作が入力されたと判定する。そして、処理部１１２３は、ステップＳＴ１１６へ移行する。
【００９４】
（ステップＳＴ１１６）
第４ユーザーＤとのパーソナル情報の交換を要求する操作を受けて、情報制御部１２３４は、ＨＭＤ１とＨＭＤ７００の間でパーソナル情報の交換を要求するリクエスト信号を、通信インタフェース１５０を介してサーバー２００に送信する。このリクエスト信号には、交換要求者を示す情報として第１ユーザーＡのＩＤ情報を含み、交換相手を示す情報として第４ユーザーＤのＩＤ情報とを含む。
サーバー２００の処理部２０１は、リクエスト信号に基づき、第１ユーザーＡのＩＤ情報と関連付けられたパーソナル情報（あるいは、動画データ等の関連情報の全てを含むものであってもよい）を、記憶部２０２における第４ユーザーＤに関する情報を記憶するための記憶領域に登録する。また、サーバー２００の処理部２０１は、リクエスト信号に基づき、第４ユーザーＤのＩＤ情報と関連付けられたパーソナル情報（あるいは、動画データ等の関連情報の全てを含むものであってもよい）を、記憶部２０２における第１ユーザーＡに関する情報を記憶するための記憶領域に登録する。
なお、本発明はこれに限られず、サーバー２００は、交換するパーソナル情報を、それぞれＨＭＤ１およびＨＭＤ７００に送信し、それぞれのメモリー１２７および７２７に登録するものであってもよい。例えば、サーバー２００の処理部２０１は、リクエスト信号に基づき、第１ユーザーＡのＩＤ情報と関連付けられたパーソナル情報（あるいは、動画データ等の関連情報の全てを含むものであってもよい）を記憶部２０２から読み出し、第４ユーザーＤのＨＭＤ７００に送信する。ＨＭＤ７００は、受信した第１ユーザーＡのパーソナル情報等をメモリー７２７に登録する。
また同様に、サーバー２００の処理部２０１は、リクエスト信号に基づき、第４ユーザーＤのＩＤ情報と関連付けられたパーソナル情報（あるいは、動画データ等の関連情報の全てを含むものであってもよい）を記憶部２０２から読み出し、第１ユーザーＡのＨＭＤ１に送信する。ＨＭＤ１は、受信した第４ユーザーＤのパーソナル情報等をメモリー１２７に登録する。
【００９５】
（ステップＳＴ１１７）
ここで、イベントの終了時間となっていなければ、処理部１２３は、ステップＳＴ１０６へもどり、その他のユーザーのＩＤ情報の表示などが繰り返し行われる。
そして、イベントの終了時間となると、全てのサービスが終了し、ＩＤインジケータの発光や情報交換は出来なくなる。
また、当初よりパーソナル情報の登録を行わなかった第３ユーザーＣにおいては、第３ユーザーＣのＨＭＤ６００で、自らのパーソナル情報を公開することなく、他のユーザーのパーソナル情報や動画情報を見ることが可能である。しかしながら、パーソナル情報を公開していない第３ユーザーＣの使用するＨＭＤ６００が上記フローにおいてステップＳＴ１０１からステップＳＴ１１８に飛ぶようにして、第３ユーザーＣに対して、他のユーザーのパーソナル情報を見せないようにしても良い。
【００９６】
以上のように、ＨＭＤ１は、ＩＤ情報に応じて発光するＩＤインジケータ５６８、６６８、７６８を撮像し、この撮像画像の画像データに基づき、ＩＤインジケータ５６８、６６８、７６８が発信するＩＤ情報を取得する。ＨＭＤ１は、取得したＩＤ情報に基づき、このＩＤ情報に関連付けられた関連情報を、サーバー２００から受信する。これにより、ＨＭＤ１は、情報を提供する第２ユーザーＢ、第３ユーザーＣ、および第４ユーザーＤに関連する関連情報を取得することができる。なお、当然ながらＩＤインジケータ５６８、６６８、７６８が発光していない場合には、ＩＤ情報を得ることが出来ないので、ＨＭＤ１は、関連情報も得ることは出来ない。
また、ＨＭＤ１は、装着した第１ユーザーＡの視線方向の画像をカメラ６４が撮像し、この撮像画像の画像データに基づきＩＤ情報を取得する。これにより、第１ユーザーＡは、現実に対面している第２ユーザーＢ、第３ユーザーＣ、および第４ユーザーＤについての関連情報を取得することができる。
【００９７】
さらに、ＨＭＤ１は、第１ユーザーＡが対面している第２ユーザーＢ、第３ユーザーＣ、および第４ユーザーＤに関する関連情報を取得した場合、この関連情報を第１ユーザーＡに対して提供するとともに、この取得した関連情報のＩＤ情報に基づいて、どのユーザーに関する関連情報であるのかを識別する情報を第１ユーザーに提供する。例えば、ＨＭＤ１のＬＣＤ６３は、カメラ６４によって撮像された撮像画像を表示するとともに、撮像画像上において、各ユーザーに関する関連情報を、撮像画像内のユーザーを示す吹き出しの中に表示する。また、第２ユーザーＢ、第３ユーザーＣ、第４ユーザーＤの装着するＨＭＤ５００、６００、７００のＩＤインジケータ５６８、６６８、７６８が発光する発光色や発光パターンを示す情報を、ＬＣＤ６３が吹き出しの中に表示し、あるいは、耳元スピーカー２３より音として出力する。あるいは、処理部１２３が、耳元スピーカー２３から関連情報とこの関連情報とＩＤ情報で紐付けられているＩＤインジケータ５６８、６６８、７６８の発光色や発光パターンを示す情報を、耳元スピーカー２３から音として出力するものであってもよい。また、処理部１２３は、ＬＣＤ６３上に、１つの関連情報を表示させるとともに、この関連情報とＩＤ情報で紐付けられているＩＤインジケータ５６８、６６８、７６８の発光色や発光パターンを示す情報を、耳元スピーカー２３から音として出力するものであってもよい。
これにより、第１ユーザーＡは、提供される関連情報が、どのユーザーに関する関連情報であるのかを識別することができる。
さらに、ＨＭＤ１は、発光色や発光パターンを示す情報に加えて、他のユーザーのパーソナルデータを音声情報として耳元スピーカー２３から出力しても良い。これにより、ＨＭＤ１の第１ユーザーＡはＬＣＤ６３をほとんど確認しなくても、対面している相手の情報を得ることが可能となる。
【００９８】
また、ＩＤインジケータの発光パターンを元にユーザーを認識してＩＤ情報を取得することにより、近傍に存在する第２ユーザーＢと第４ユーザーＤの差異を明確に識別することが可能であり、さらに各人の詳細なパーソナル情報、並びに、詳細な動画データを取得することが可能である。
よって、本実施形態に係るＨＭＤ１によれば、ＩＤ情報を含む発光パターンで発光するＩＤインジケータを撮像することにより、容易に、ＩＤ情報と関連付けられたパーソナル情報を取得し、ＬＣＤ６３に表示することができる。従って、第１ユーザーＡは、ＬＣＤ６３に表示されている撮像画像を見ることによって、パーソナル情報を見ることができるとともに、このパーソナル情報のユーザーを特定することができる。
【００９９】
さらに、例えば、第２ユーザーＢのＨＭＤ５００のＩＤインジケータ５６８等は、表示部５６０のファインダー開口部(不図示)とは反対側に設けられており、第２ユーザーＢがファインダー開口部を目元にセットした場合、ＩＤインジケータ５６８は顔のほぼ正面に配置されることとなる。これにより、第２ユーザーＢと対面した第１ユーザーＡは、第２ユーザーＢの顔の表情を見ることができるとともに、カメラ６４でＩＤインジケータ５６８を撮像することができる。よって、ＨＭＤ１の第１ユーザーＡは、肉眼で第２ユーザーＢの顔を見ながら、ＨＭＤ１を通して第２ユーザーＢの顔とパーソナル情報を同時に確認するとが可能となる。
【０１００】
さらに、肉眼で第２ユーザーＢの顔とＩＤインジケータ５６８の色や発光パターンを同時に確認することが可能となることによって、第１ユーザーＡは、ＨＭＤ１を介さなくても、第２ユーザーＢと他のユーザーＣ，Ｄとを識別することができる。第３ユーザーＣがパーソナル情報を公開していないことが分かる。
【０１０１】
［第２実施形態］
次に、図１０を参照して、本実施形態に係る情報通信方法の一例について説明する。図１０は、本実施形態に係る情報通信方法の処理フローを示すフローチャートである。
本実施形態に係る情報通信方法では、ＷｉＦｉ通信により送受信する情報は、主に端末（ＨＭＤ）同士のアドホックモードにより行うが、動画データのように重たいデータは、ネットワークを介してサーバー２００より取得することとしてＷｅｂ経由で行う例を用いて、以下、説明する。
なお、ここでは、図１０に説明した第１実施形態と異なる部分について詳細に説明し、同様の処理についての詳細な説明は省略する。
ステップＳＴ２０１〜２０４は、ステップＳＴ１０１〜１０４と同様の処理であるため、詳細な説明は省略する。
【０１０２】
（ステップＳＴ２０５）
イベントが開催されると、ＨＭＤ１は、例えば、ＷｉＦｉ電波を発信する。
（ステップＳＴ２０６）
そして、発信制御部１２３２は、メモリー１２７を参照して、登録されている発光パターン情報に基づき、ＩＤ情報とＩＤアドレス情報に応じた発光色および発光パターンでＩＤインジケータ６８を発光させる。つまり、この発光パターンは、ＩＤ情報とＩＰアドレス情報とを含むパターンである。
また、ステップＳＴ２０１〜２０５と同様の処理を、ＨＭＤ５００、７００が実行することにより、図７に示す通り、第２ユーザーＢや第４ユーザーＤの頭部に装着したＨＭＤ５００のＩＤインジケータ５６８や、ＨＭＤ７００のＩＤインジケータ７６８が、それぞれＩＤ情報とＩＤアドレス情報に応じた発光パターンで点滅するようになる。ここで、ＩＤインジケータ５６８は、第２ユーザーＢに割り当てられたＩＤ情報とＨＭＤ５００に割り当てられたＩＰアドレス情報を含む発光パターンで点滅している。また、ＩＤインジケータ７６８は、第４ユーザーＤに割り当てられたＩＤ情報とＨＭＤ７００に割り当てられたＩＰアドレス情報を含む発光パターンで点滅している。
なお、パーソナル情報の登録を行っていない第３ユーザーＣのＨＭＤ６００は、発光パターンを保持していないため、ＩＤインジケータ６６８が点滅しない。
【０１０３】
（ステップＳＴ２０７）
そして、ＨＭＤ１の通信インタフェース１５０が、他のＨＭＤ５００、６００、７００からのＷｉＦｉ電波を検出したか否かを判定する。いずれのＨＭＤ５００、６００、７００からもＷｉＦｉ電波を検出できなければ、処理部１２３は、ステップＳＴ２０７で待機状態となる。
一方、ＨＭＤ５００、６００、７００のうち少なくとも１つからＷｉＦｉ電波の受信ができれば、処理部１２３は、ステップＳＴ２０８へ移行する。
【０１０４】
（ステップＳＴ２０８）
ＨＭＤ１の通信インタフェース１５０は、ＨＭＤ５００、６００、７００のうち少なくとも１つからＷｉＦｉ電波を受信した場合、ＷｉＦｉ電波を受信したＨＭＤ５００、６００、７００のＩＰアドレス情報を検出する。なお、ここでは、各ＨＭＤをネットワーク上において識別するネットワーク識別情報として、ＩＰアドレス情報を例に説明するが、本発明はこれに限られず、例えば、ＭＡＣアドレスであってもよい。
通信インタフェース１５０は、検出したＩＰアドレスをフラッシュメモリー１２２に保存する。
【０１０５】
次いで、画像処理部１２３３は、カメラ６４が撮像した撮像画像の画像データに基づき、ＨＭＤに搭載されるＩＤインジケータの発光点を示す画素として、予め決められた輝度あるいは明度以上の画素が撮像画像内に含まれているか否かを判定する。画像処理部１２３３は、予め決められた輝度あるいは明度以上の画素を検出した場合、時間の経過に伴い複数撮像される撮像画像に基づき、このＩＤインジケータの発光点の発光状態の変化を検出する。この画像処理部１２３３は、例えば、この検出された発光点の点滅状況から発光パターンを検出し、この発光パターンが示すＩＤ情報とＩＰアドレス情報を検出する。そして、発光パターンが示すＩＤ情報とＩＰアドレス情報を取得した場合、画像処理部１２３３は、このＩＤ情報とＩＰアドレス情報が有効な情報であるか否かを判定する。有効な情報であると判定した場合、画像処理部１２３３は、取得したＩＤ情報とＩＰアドレス情報を情報制御部１２３４に出力する。
【０１０６】
（ステップＳＴ２０９）
そして、情報制御部１２３４は、ＩＤ情報とＩＰアドレス情報を入力すると、入力したＩＤ情報とＩＰアドレス情報が、それぞれ新規のＩＤ情報とＩＰアドレス情報であるか否かを判定する。新規の場合には、情報制御部１２３４は、ステップＳＴ２１０へ移行する。
（ステップＳＴ２１０）
新規のＩＤ情報とＩＰアドレス情報であると判定した場合、情報制御部１２３４は、フラッシュメモリー１２２に新規なＩＤ情報とＩＰアドレス情報を登録するとともに、この新規なＩＰアドレス情報が割り当てられたＨＭＤとアドホックモードで通信可能な状態であるか否かを判定する。具体的に説明すると、情報制御部１２３４は、フラッシュメモリー１２２を参照して、ステップＳＴ２０７において検出した他のＨＭＤ５００、６００、７００のＩＰアドレス情報と、ステップＳＴ２０９において判定された新規なＩＰアドレス情報とを比較することにより、一致するＩＰアドレス情報があるか否かを判定する。一致するＩＰアドレス情報がある場合、情報制御部１２３４は、この一致するＩＰアドレス情報が示すＨＭＤ５００、６００、７００に対して、新規なＩＤ情報に関連付けられたパーソナル情報を要求するリクエスト信号を送信する。
【０１０７】
例えば、新規な情報として、第２ユーザーＢに割り当てられたＩＤ情報と、ＨＭＤ５００に割り当てられたＩＰアドレス情報とが、取得されたとする。ここで、ＨＭＤ１とＨＭＤ５００とは、アドホックモードで通信可能な状態であるため、ＨＭＤ１のフラッシュメモリー１２２には、アドホックモードで通信可能なＨＭＤのＩＰアドレス情報としてＨＭＤ５００のＩＰアドレスが保存されている。よって、情報制御部１２３４は、第２ユーザーＢに割り当てられたＩＤ情報に関連付けられたパーソナル情報を要求するリクエスト信号を、ＨＭＤ５００に送信する。
ＨＭＤ５００の処理部５２３は、リクエスト信号に基づき、受信したＩＤ情報に関連付けてメモリー５２７に登録されているパーソナル情報を読み出し、リクエスト信号を送信元であるＨＭＤ１に送信する。そして、ＨＭＤ１は、ＨＭＤ５００からパーソナル情報を受信する。情報制御部１２３４は、受信したパーソナル情報をフラッシュメモリー１２２に一時的に保存する。
ここでは、情報制御部１２３４が、第４ユーザーＤを示すＩＤ情報とＩＰアドレス情報も検出可能である。この場合、ＨＭＤ１は、ＨＭＤ７００のＩＰアドレス情報に基づき、第４ユーザーＤを示すＩＤ情報に関連付けられたパーソナル情報の送信をＨＭＤ７００に要求し、ＨＭＤ７００からパーソナル情報を受信する。
【０１０８】
なお、第３ユーザーＣのＨＭＤ６００のＩＤインジケータ６６８は、ＩＤ情報およびＩＰアドレスを示す発光パターンで発光していないため、ＨＭＤ１は、撮像画像に基づき、発光パターンが示すＩＤ情報およびＩＰアドレス情報を検出することができない。よって、ＨＭＤ１は、ＨＭＤ６００とアドホックモードで通信可能となった場合であっても、ＷｉＦｉ電波により受信したＨＭＤ６００のＩＰアドレス情報と、発光パターンが示すＩＰアドレスとが一致することがないため、ＨＭＤ１は、ＨＭＤ６００に対してパーソナル情報を要求するリクエスト信号を送信しない。従って、ＨＭＤ１は、ＨＭＤ６００から第３ユーザーＣのパーソナル情報を受信しない。
【０１０９】
また、情報制御部１２３４は、メモリー１２７からパーソナル情報を読み出し、パーソナル情報を要求するリクエスト信号を送信した他のＨＭＤ５００、７００等に対して、読み出したパーソナル情報を送信する。
つまり、ＨＭＤ１は、他のＨＭＤ５００、７００と、パーソナル情報の交換を実行する。
なお、ステップＳＴ２１１〜２２０は、ステップＳＴ１０９〜１１８と同様の処理であるため、詳細な説明は省略する。
【０１１０】
上述の通り、ＨＭＤ１は、比較的情報量の少なくパーソナル情報は、各ＨＭＤ１、５００、６００、７００のメモリー１２７、５２７、６２７、７２７に保存しておき、他のＨＭＤ５００、６００、７００から受信する。一方、比較的情報量の多い動画データ等は、サーバー２００に保存しておき、サーバー２００の記憶部２０２内において、各ユーザーに割り当てられた記憶領域に登録しておく。または、サーバー２００が、各ＨＭＤ１、５００、６００、７００に配信する。
このように、関連情報の情報量に応じて、他のＨＭＤ５００、６００、７００の記憶領域に登録するのか、あるいは、サーバー２００に登録するのかを選択することができる。これにより、各ＨＭＤ１、５００、６００、７００に必要なメモリーの容量を最小に押さえることが可能である。また、動画データ等の比較的情報量の多いデータを、各ＨＭＤ１、５００、６００、７００から送信することが無くなるので、省電力も可能となっている。さらに、サーバー２００にアクセスが出来ないような通信環境の悪いところでも、ＨＭＤ１とＨＭＤ５００とが互いに通信することで、最小限のパーソナル情報の受送信が可能となっている。
なお、ＩＤインジケータ６８は肉眼で確認できる光（例えば、波長が可視交領域の光）を発光することが好ましいが、通信環境などに応じては赤外線を用いるなどしても良い。
【０１１１】
［第３実施形態］
次に、図１１を参照して、本実施形態に係る情報通信方法の一例について説明する。図１１は、本実施形態に係る情報通信方法の処理フローを示すフローチャートである。
本実施形態係る情報通信方法は、第２実施形態の変形例であって、他の端末（ＨＭＤ）とアドホックモードで通信可能な状態となった場合に、ＩＤインジケータ６８を発光させる一例である。
なお、ここでは、図１０に説明した第２実施形態と異なる部分について詳細に説明し、同様の処理については、詳細な説明は省略する。
ステップＳＴ３０１〜３０３は、ステップＳＴ２０１〜２０３と同様の処理であるため、詳細な説明は省略する。
【０１１２】
（ステップＳＴ３０４）
ＨＭＤ１は、例えば、ＷｉＦｉ電波を発信する。そして、ＨＭＤ１は、他のＨＭＤ５００、６００、７００から発信されるＷｉＦｉ電波を待ち、アドホックモードで通信可能な他のＨＭＤ５００、６００、７００を探す。
（ステップＳＴ３０５）
そして、ＨＭＤ１の通信インタフェース１５０が、他のＨＭＤ５００、６００、７００からのＷｉＦｉ電波を検出したか否かを判定する。いずれのＨＭＤ５００、６００、７００からもＷｉＦｉ電波を検出できなければ、ステップＳＴ３０５で待機状態となる。
一方、ＨＭＤ５００、６００、７００のうち少なくとも１つからＷｉＦｉ電波の受信ができれば、処理部１２３は、ステップＳＴ３０６へ移行する。
【０１１３】
（ステップＳＴ３０６）
そして、発信制御部１２３２は、メモリー１２７を参照して、登録されている発光パターン情報に従って、ＩＤ情報とＩＰアドレス情報に応じた発光色および発光パターンでＩＤインジケータ６８を発光させる。つまり、この発光パターンは、ＩＤ情報とＩＰアドレス情報とを含むパターンである。
ここで、ステップＳＴ３０７〜３１７は、ステップＳＴ２０８〜２１８と同様の処理であるため、詳細な説明は省略する。
（ステップＳＴ３１８）
そして、一連の情報通信が完了すると、発信制御部１２３２は、ＩＤインジケータ６８の発光を停止させ、消灯させる。
【０１１４】
これにより、ＨＭＤ１は、アドホックモードで通信可能な状態である他のＨＭＤ５００、６００、７００のＷｉＦｉ電波を検出した場合に限り、ＩＤインジケータ６８を発光させ、通信可能な状態である他のＨＭＤ５００、６００、７００が検出されない場合は、ＩＤインジケータ６８を発光させない。これにより、パーソナル情報の交換相手が検出されない場合にＩＤインジケータ６８を発光させなくてすむため、電力の消費を抑えることができる。
また、パーソナル情報の交換相手がいない状態においてＩＤインジケータ６８を発光させないため、特にイベント会場等のパーソナル情報がよく交換されるシーンでの利用に限定されることなく、あらゆるシーンで利用することが可能となる。例えば、道などを歩いていても、ＨＭＤ１が相手方のＷｉＦｉ電波を検出することでＩＤインジケータ６８を点灯させ、お互いの情報を交換することが可能となる。そして、ＩＤ情報を取得した後、ＩＤインジケータ６８を消灯させるため、必要なときだけＩＤインジケータ６８を発光させることができ、電力消費を抑えることができる。
なお、本実施形態において、ＨＭＤ１は、ＷｉＦｉ電波を受信した場合、ＩＤインジケータ６８を発光させる例を説明したが、本発明はこれに限られず、３Ｇ回線経由やＢｌｕｅｔｏｏｔｈ等により通信可能な他のＨＭＤ５００、６００、７００を検出した場合であってもよい。この場合、ＨＭＤ１は、３Ｇ回線経由やＢｌｕｅｔｏｏｔｈ等により、他のＨＭＤ５００、６００、７００からパーソナル情報を受信することができる。
【０１１５】
［第４実施形態］
次に、図１２を参照して、本実施形態に係る情報通信方法の一例について説明する。図１２は、本実施形態に係る情報通信方法の処理フローを示すフローチャートである。
本実施形態係る情報通信方法は、第２実施形態の変形例であって、（１）他のＨＭＤから要求があった場合、（２）ＨＭＤ１の第１ユーザーＡが要求した場合、または（３）カメラ６４の撮像画像内にＩＤインジケータの発光点が検出された場合において、ＩＤインジケータ６８を発光させる一例である。
なお、ここでは、図１０に説明した第２実施形態と異なる部分について詳細に説明し、同様の処理についての詳細な説明は省略する。
ステップＳＴ４０１、４０２は、ステップＳＴ２０２、２０３と同様の処理であるため、詳細な説明は省略する。
【０１１６】
（ステップＳＴ４０３）
発信制御部１２３２の制御により、ＩＤインジケータ６８は消灯している。
（ステップＳＴ４０４）
発信制御部１２３２は、他のＨＭＤ５００、６００、７００から、ＷｉＦｉ通信によって、ＩＤインジケータ６８の発光を要求するリクエスト信号を受信したか否かを判定する。
（ステップＳＴ４０５）
ＩＤインジケータ６８の発光を要求するリクエスト信号を受信した場合、発信制御部１２３２は、メモリー１２７を参照して、登録されている発光パターンに従って、ＩＤ情報とＩＰアドレス情報に応じた発光色および発光パターンでＩＤインジケータ６８を発光させる。つまり、この発光パターンは、ＩＤ情報とＩＰアドレス情報とを含むパターンである。このように、ＨＭＤ１は、他のＨＭＤ５００、６００、７００と通信を行う可能性のあるときのみ、発光を開始するので、電力の消費を最小に抑えることが可能となっている。
（ステップＳＴ４０６）
また、発信制御部１２３２は、前方スピーカー７０からチャイム音（報知音）を出力させる。これは、例えば他のＨＭＤ５００、６００、７００からＩＤインジケータ６８の点灯を要求するリクエスト信号を受信したとしても、このリクエスト信号を発信したＨＭＤ５００、６００、７００の各ユーザーＢ〜Ｄが第１ユーザーＡの所在がわからず目視によってＨＭＤ１のＩＤインジケータ６８の発光に気づかない場合を想定して、音によってもその発光位置を相手に知らしめるためである。
【０１１７】
（ステップＳＴ４０７）
また、ＨＭＤ１の処理部１２３の情報制御部１２３４は、他のＨＭＤ５００、６００、７００に対してＩＤインジケータ５６８、６６８、７６８の発光を要求する操作が第１ユーザーＡから入力されたか否かを判定する。第１ユーザーＡが、例えば操作スイッチ３０を用いてＬＣＤ６３に表示される「発光要求送信ボタン」を押すなどの操作が入力された場合、情報制御部１２３４は、他のＨＭＤ５００、６００、７００にＩＤインジケータ５６８、６６８、７６８の発光を要求したことを判定する。
【０１１８】
（ステップＳＴ４０８）
他のＨＭＤ５００、６００、７００に対してＩＤインジケータ５６８、６６８、７６８の発光を要求する操作が第１ユーザーＡから入力された場合、情報制御部１２３４は、他のＨＭＤ５００、６００、７００に対して、ＩＤインジケータ５６８、６６８、７６８の発光を要求するリクエスト信号を送信する。
また、発信制御部１２３２は、メモリー１２７を参照して、登録されている発光パターンに従って、ＩＤ情報とＩＰアドレス情報に応じた発光色および発光パターンでＩＤインジケータ６８を発光させる。つまり、この発光パターンは、ＩＤ情報とＩＰアドレス情報とを含むパターンである。
【０１１９】
（ステップＳＴ４０９）
そして、ステップＳＴ４０３で他のＨＭＤ５００、６００、７００からＩＤインジケータ６８の発光を要求するリクエスト信号を受信した場合、ならびに、ＨＭＤ１が周囲の他のＨＭＤ５００、６００、７００に対してＩＤインジケータ５６８、６６８、７６８の発光を要求するリクエスト信号を送信した場合、さらには何もしない場合の３つの場合のいずれにおいても、ＨＭＤ１は、周辺でＩＤインジケータが点灯しているか否かをカメラ６４で判断する。具体的に説明すると、画像処理部１２３３は、カメラ６４が撮像した画像データに基づき、ＨＭＤに搭載されるＩＤインジケータの発光点を示す画素として、予め決められた輝度あるいは明度以上の画素が撮像画像内に含まれているか否かを判定する。
【０１２０】
画像処理部１２３３は、予め決められた輝度あるいは明度以上の画素を検出した場合、時間の経過に伴い複数撮像される撮像画像に基づき、このＩＤインジケータの発光点の発光状態の変化を検出する。この画像処理部１２３３は、例えば、この検出された発光点の点滅状況から発光パターンを検出し、この発光パターンが示すＩＤ情報とＩＰアドレス情報を検出する。そして、発光パターンが示すＩＤ情報とＩＰアドレス情報を取得した場合、画像処理部１２３３は、このＩＤ情報とＩＰアドレス情報が有効な情報であるか否かを判定する。有効な情報であると判定した場合、画像処理部１２３３は、取得したＩＤ情報とＩＰアドレス情報を情報制御部１２３４に出力する。
一方、画像処理部１２３３が撮像画像に基づきＩＤ情報とＩＰアドレス情報を検出しなかった場合、処理部１２３は、ステップＳＴ４０３に戻って処理を繰り返す。
【０１２１】
（ステップＳＴ４１０）
次いで、発信制御部１２３２は、メモリー１２７を参照して、登録されている発光パターンに従って、ＩＤ情報とＩＰアドレス情報に応じた発光色および発光パターンでＩＤインジケータ６８を発光させる。つまり、この発光パターンは、ＩＤ情報とＩＰアドレス情報とを含むパターンである。
【０１２２】
（ステップＳＴ４１１）
そして、情報制御部１２３４は、ＩＤ情報とＩＰアドレス情報を入力すると、入力したＩＤ情報とＩＰアドレス情報が、それぞれ新規のＩＤ情報とＩＰアドレス情報であるか否かを判断し、新規の場合にはステップＳＴ４１２へ移行する。
（ステップＳＴ４１２）
新規のＩＤ情報とＩＰアドレス情報であると判定した場合、情報制御部１２３４は、フラッシュメモリー１２２に新規なＩＤ情報とＩＰアドレス情報を登録するとともに、この新規なＩＰアドレス情報が割り当てられたＨＭＤとアドホックモードで通信可能な状態であるか否かを判定する。具体的に説明すると、情報制御部１２３４は、フラッシュメモリー１２２を参照して、ステップＳＴ２０５において受信した他のＨＭＤ５００、７００のＩＰアドレス情報と、ステップＳＴ２０９において判定された新規なＩＰアドレス情報とを比較することにより、一致するＩＰアドレス情報があるか否かを判定する。一致するＩＰアドレス情報がある場合、情報制御部１２３４は、この一致するＩＰアドレス情報が示すＨＭＤ５００、７００に対して、新規なＩＤ情報に関連付けられたパーソナル情報の送信を要求するリクエスト信号を送信する。
これにより、ＨＭＤ１は、リクエスト信号を受信した他のＨＭＤ５００、７００からパーソナル情報を受信する。なお、ＨＭＤ６００に対しては、リクエスト信号を送信していないため、パーソナル情報を受信しない。
【０１２３】
また、情報制御部１２３４は、メモリー１２７からパーソナル情報を読み出し、パーソナル情報の送信を要求するリクエスト信号を送信した他のＨＭＤ５００、７００に対して、読み出したパーソナル情報を送信する。
つまり、ＨＭＤ１は、他のＨＭＤ５００、７００と、パーソナル情報の交換を実行する。
ここで、ステップＳＴ４１３〜４２０は、ステップＳＴ１０９〜１１６と同様の処理であるため、詳細な説明は省略する。
【０１２４】
（ステップＳＴ４２１）
情報制御部１２３４は、取得した情報をフラッシュメモリー１２２に登録するとともに、取得した情報にＨＭＤ１のＩＤ情報と紐付けた情報をサーバー２００に送信する。サーバー２００は、受信した情報を、ＩＤ情報が示すＨＭＤ１が情報交換した情報として記憶部２０２に登録する。
（ステップＳＴ４２２）
引き続きＨＭＤ１が使用される場合、ステップＳＴ４０３に移行して、一旦ＩＤインジケータ６８が消灯される。
一方、引き続きＨＭＤ１が使用されない場合、ステップＳＴ４２３へ移行する。
（ステップＳＴ４２３）
発信制御部１２３２は、ＩＤインジケータ６８の発光を停止して、すべてのシーケンスを終了する。
【０１２５】
上述の通り、本実施形態に係る情報通信方法は、（１）他のＨＭＤから要求があった場合、（２）ＨＭＤ１の第１ユーザーＡが要求した場合、および（３）カメラ６４の撮像画像内にＩＤインジケータの発光点が検出された場合において、ＩＤインジケータ６８を発光させる。このように、ＨＭＤ１は、必要なときだけＩＤインジケータ６８を発光させるため、電力消費を抑えることができる。
また、第１ユーザーＡが、周囲よりＩＤインジケータ６８の点灯を要望された場合には、ＨＭＤ１から音が発せられることにより、第１ユーザーＡが何処にいるのか分からない第２ユーザーＢが、第１ユーザーＡの居場所を確定できる。
すなわち、ＨＭＤ１を装着した第１ユーザーＡが第２ユーザーＢの背後にいた場合であっても、呼び出されたＨＭＤ１から音が発せられることにより、第２ユーザーＢは、第１ユーザーＡの方向を容易に把握することができる。そして第２ユーザーＢは、第１ユーザーＡと向かい合うことにより、ＩＤ情報を交換することができる。
よって、ユーザーにとってより使いやすい情報通信システムを提供することができる。
【０１２６】
［第５実施形態］
次に、図１３、１４を参照して、本実施形態に係る電子機器の一例について説明する。図１３は、本実施形態に係る発信装置８００の構成の一例を示すブロック図である。図１４は、発信装置８００を装着した第５ユーザーＥをＨＭＤ１のカメラ６４が撮像した場合に、ＬＣＤ６３に表示される表示画像の一例を示す図である。
図１３に示す通り、本実施形態に係る発信装置８００は、メインスイッチ２８と、操作スイッチ３０と、バッテリー３３と、ＩＤインジケータ６８と、前方スピーカー７０と、電源回路１２０と、メモリー１２７と、ＷｉＦｉ通信回路１３１と、処理部８２３とを備える。この処理部８２３は、登録部１２３１と、発信制御部１２３２と、情報制御部１２３４とを備える。
なお、第１実施形態において説明した構成と同様の機能を有する構成には、同一の名称および同一の符号を付して、詳細な説明は省略する。また、各構成部による処理内容は、上述の第１〜４実施形態に説明した処理を実行するものであってもよい。
この発信装置８００は、例えば、図１４に示す通り、ユーザーの胸部ポケットに取り付けられる程度の小型機器である。これは、例えば展示会などで説明員が旨に発信装置８００を装着して、来客が説明員の情報を見たい場合などを想定している。
【０１２７】
図１４に示す通り、発信装置８００のＩＤインジケータ６８が発光パターンに従って点滅している場合、ＨＭＤ１は、撮像画像に基づいて、発光パターンに含まれるＩＤ情報を取得することができる。また、ＨＭＤ１は、ＷｉＦｉ通信を介して、発信装置８００から、パーソナル情報を受信することができる。
これにより、図示の通り、ＨＭＤ１は、第５ユーザーＥのパーソナル情報を表示した吹き出し４０６や、情報交換ボタン４０５を、ＬＣＤ６３に表示されている撮像画像上に表示することができる。
なお、ＩＤインジケータによる発光部と、ＷｉＦｉ電波を発信する発信部は、筐体において個別に別れていても良い。
さらに、発信装置８００は、人が装着するだけに限らず、商品の展示において商品の近傍にＩＤインジケータを置き、ＷｉＦｉ情報は店内から一元的に発信しても良い。つまり、発信装置８００に含まれるＩＤインジケータ６８と、ＷｉＦｉ通信回路１３１を、それぞれ別の機器として、これら機器からなるシステムとして利用してもよい。
【０１２８】
このように、少なくとも、ＩＤ情報を示す発光パターンで発光するＩＤインジケータ６８を備える発信装置８００を用意することで、ＨＭＤ１は、この発信装置８００のユーザーＥに関するパーソナル情報や動画データを取得することができる。
また、発信装置８００の第５ユーザーＥも、名刺を配る代わりに、ＩＤインジケータ６８を点灯させることによって、自己のパーソナル情報や動画データを相手に提供することができる。
【０１２９】
次に、図１５、１６を参照して、上述の実施形態における発光パターンの一例について説明する。
図１５、１６は、発光パターンの点滅（つまり、発光状態の変化）の周波数を矩形波で示す図である。なお、図１５、１６において示すグラフは、横軸に時間を、縦軸に点灯と消灯をとるものである。
図１５（ａ）は、例えば、第１ユーザーＡに割り当てられたＩＤ情報に応じた発光パターンＰＡ１の周波数の矩形波を示す図である。図１５（ｂ）は、例えば、第２ユーザーＢに割り当てられたＩＤ情報に応じた発光パターンＰＢ１の周波数の矩形波を示す図である。
図１５（ａ）（ｂ）に示す通り、発光パターンＰＡ１は、発光パターンＰＢ１に比べて、点灯期間から点灯期間までの間隔が短い。よって、発光パターンＰＡ１ではＩＤインジケータの点滅が比較的早くなり、発光パターンＰＢ１ではＩＤインジケータの点滅が比較的遅くなる。
このように、ＩＤインジケータが、点灯期間から点灯期間までの間隔が異なる発光パターンＰＡ１、ＰＢ１に応じて、異なる速さの点滅の可視光で発光することにより、このＩＤインジケータの発光状態を見たユーザーは、それぞれの発光パターンを識別することができる。
【０１３０】
図１６（ａ）は、発光パターンＰＡ２の周波数の矩形波を示す図である。この発光パターンＰＡ２は、第１ユーザーＡに割り当てられたＩＤ情報およびＩＰアドレス情報に応じたＩＤインジケータの発光状態を示すパターンである。
また、図１６（ｂ）は、例えば、発光パターンＰＢ２の周波数の矩形波を示す図である。この発光パターンＰＢ２は、第２ユーザーＢに割り当てられたＩＤ情報およびＩＰアドレス情報に応じたＩＤインジケータの発光状態を示すパターンである。
【０１３１】
図１６（ａ）に示す通り、発光パターンＰＡ２では、第１の発光Ｆ１、第２の発光Ｆ２、第３の発光Ｆ３・・・が、互いの同じ間隔（点灯期間から点灯期間までの間隔）で、繰り返し出現するパターンである。この第１の発光Ｆ１、第２の発光Ｆ２、第３の発光Ｆ３・・・は、ＩＤインジケータが点灯する期間である。この第１の発光Ｆ１、第２の発光Ｆ２、第３の発光Ｆ３・・・の繰り返しからなる点滅は、例えば、１Ｈｚでの比較的低周波数での点滅である。
また、第１の発光Ｆ１、第３の発光Ｆ３では、ＩＤインジケータが、目視では点滅がわかり難い例えば３０Ｈｚ程度の比較的早めの周波数の点滅である。第１の発光Ｆ１の点滅には、第１ユーザーＡのＩＤ情報が含まれている。第３の発光Ｆ３の点滅には、第１ユーザーＡのＩＰアドレス情報が含まれている。なお、第２の発光Ｆ２は点灯であり、点滅はしない。
【０１３２】
図１６（ｂ）に示す通り、発光パターンＰＢ２では、第１の発光Ｆ１１、第２の発光Ｆ１２、第３の発光Ｆ１３・・・が、互いに同じ間隔（点灯期間から点灯期間までの期間）で、繰り返し出現するパターンである。この第１の発光Ｆ１１、第２の発光Ｆ１２、第３の発光Ｆ１３・・・は、ＩＤインジケータが点灯する期間である。この第１の発光Ｆ１１、第２の発光Ｆ１２、第３の発光Ｆ１３・・・の繰り返しからなる点滅は、例えば、１Ｈｚであって、図１６（ａ）よりはやや遅く、肉眼で点滅が確認できる程度の比較的低周波数での点滅である。
また、第１の発光Ｆ１１では、ＩＤインジケータが、目視で点滅がわかり難い例えば３０Ｈｚ程度の比較的速めの周波数の点滅である。第１の発光Ｆ１１の点滅には、第２ユーザーＢのＩＤ情報が含まれている。また第３の発光Ｆ１３の点滅には、第２ユーザーＢのＩＰ情報が含まれている。なお、第２の発光Ｆ１２は点灯であり、点滅はしない。
このように、比較的低い周波数で点滅し、この点灯時において、さらに比較的早い周波数で点滅するようにすることによって、ＩＤ情報やＩＰアドレス情報を含めることができる。また、第２の発光Ｆ２、第２の発光Ｆ１２のように、点滅しない期間を設けることにより、ユーザーによるＩＤインジケータの点滅の視認性を向上させることができる。
【０１３３】
また、本実施形態に係る情報通信システムは、図８に示したとおり、複数のＨＭＤ１、５００、６００、７００とサーバー２００とを備えるものに限られず、ＨＭＤ１と発信装置８００とサーバー２００とを備えるものであってもよい。この場合、ＨＭＤ１が受信側電子機器に相当し、発信装置８００が発信側電子機器に相当する。
【０１３４】
また、特許文献１記載の機器のようにＬＥＤによる発光で情報を送受信する場合、例えばＩｒＤＡなどのフォーマットに則しても、ＷｉＦＩなどの電波での通信に比べて通信速度が遅く、送受信できる情報量に限度があり、高度な情報の送受信ができないといった問題があった。
また、ＷｉＦｉやＢｌｕｅｔｏｏｔｈなどによる無線通信によって情報を直接もしくはＷｅｂ経由で送受信することも従来より行われている。しかしながら無線の電波は回折や反射によって直進性が妨げられることがあり、その発信源を特定することが極めて難しいという問題があった。
すなわち、比較的近傍に置かれた２つの発信器から電波を介して異なるＩＤ信号が発信されている場合、指向性の高い例えば八木アンテナ等を用いない限り、どちらの発信器より電波が発信されているのかを検知することは難しい。そして、その発信器を個々の人がそれぞれ装着していても、受信されたＩＤ情報がどの人から発信されたのかを識別することは難しいという問題があった。
また指向性の高い八木アンテナ等は電波を受信するためのエレメントが多くなり、携帯性が極めて悪く使いにくいと言った問題があった。
これに対して、本実施形態に係るＨＭＤ１は、ＩＤ情報をＬＥＤで発信／受信するとともに、そのＩＤ情報に基づいた関連情報はＷｉＦｉなどの電波で送信／受信することで、情報の発信源を特定しやすく、かつ膨大な情報を電波によって直接もしくはＷｅｂ経由で送受信することができる。
【０１３５】
また、上述したＨＭＤ１、５００、６００、７００、サーバー２００、発信装置８００の一部の機能をコンピュータで実現するようにしてもよい。この場合、その機能を実現するための識別情報算出プログラムをコンピュータ読み取り可能な記録媒体に記録して、この記録媒体に記録されたキーフレーム抽出プログラムをコンピュータシステムに読み込ませ、実行することによって実現してもよい。
なお、ここでいう「コンピュータシステム」とは、ＯＳ（Ｏｐｅｒａｔｉｎｇ  Ｓｙｓｔｅｍ）や周辺装置のハードウェアを含むものである。また、「コンピュータ読み取り可能な記録媒体」とは、フレキシブルディスク、光磁気ディスク、光ディスク、メモリカード等の可搬型記録媒体、コンピュータシステムに内蔵される磁気ハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバー装置やクライアントとなるコンピュータシステム内部の揮発性メモリーのように、一定時間プログラムを保持するものを含んでもよい。
また上記のプログラムは、前述した機能の一部を実現するためのものであってもよく、さらに前述した機能をコンピュータシステムにすでに記録されているプログラムとの組み合わせにより実現するものであってもよい。
【０１３６】
以上、本発明の実施の形態について図面を参照して詳述したが、具体的な構成はその実施形態に限られるものではなく、本発明の要旨を逸脱しない範囲の設計等も含まれる。
【符号の説明】
【０１３７】
１…ヘッドマウントディスプレイ、２０…ディスプレイ本体、２３…耳元スピーカー（出力部）、２６…オーディオコネクター、３４…タッチスイッチ、６０…表示部、６３…表示パネル（出力部）、６４…カメラ（撮像部）、７２…撮像素子、６８…ＩＤインジケータ、７０…前方スピーカー、１２１…デコーダー、１２２…フラッシュメモリー、１２３…処理部、１２５…ＬＣＤドライバ、１２７…メモリー、１３０…ＢＴ通信回路、１３１…ＷｉＦｉ通信回路、１３２…加速度センサー、１３３…地磁気センサー、１３７  心拍数センサー、１３８…３Ｇ／ＬＴＥ通信回路、１５０…通信インタフェース（受信部）、８００…発信装置、１２３１…登録部、１２３２…発信制御部、１２３３…画像処理部（検出部）、１２３４…情報制御部、１２３５…表示制御部
【図１】
2013236213.tif 000003
【図２】
2013236213.tif 000004
【図３】
2013236213.tif 000005
【図４】
2013236213.tif 000006
【図５】
2013236213.tif 000007
【図６】
2013236213.tif 000008
【図７】
2013236213.tif 000009
【図８】
2013236213.tif 000010
【図９】
2013236213.tif 000011
【図１０】
2013236213.tif 000012
【図１１】
2013236213.tif 000013
【図１２】
2013236213.tif 000014
【図１３】
2013236213.tif 000015
【図１４】
2013236213.tif 000016
【図１５】
2013236213.tif 000017
【図１６】
2013236213.tif 000018